(57)【特許請求の範囲】
【請求項１】
冷蔵庫であって、
開口部が形成された前面と、前記前面から後方に伸び、互いに対向する一対の側面と、前記一対の側面の各上端部を互いに連結する上面と、前記一対の側面の各下端部を互いに連結し、前記上面と対向する下面と、前記一対の側面と前記上面と前記下面とを互いに連結し、前記開口部と対向する後面とによって構成される貯蔵室を形成するキャビネット；
前記キャビネットに回転可能に連結され、前記開口部を開閉するドア；
前記貯蔵室内に配置され、後端が前記貯蔵室の後面に結合され、前記後端から前記開口部に向かって水平に伸びるカンチレバー；
貯蔵物を収容し、前記カンチレバーによって支持され、前記カンチレバーの長手方向に沿って移動可能に配置されるドローア；
前記ドローアの下側に配置されるベース部と、前記ベース部から前記貯蔵室の上面に向かって伸びるサイドプレートとを備えたフレーム；
前記サイドプレートは、前記カンチレバーと前記貯蔵室の側面の間に配置される垂直部を備え、
前記貯蔵室と前記ベース部の間に配置され、前記ベース部が前後方向に移動できるように支持するフレームガイド；
前端部が前記ドアと回転可能に連結され、後端部が前記ベース部と回転可能に連結され、前記ドアの回転動作によって前記ベース部を移動させるリンク；及び
前記ドローアが前記フレームに連動するように、前記ドローアと前記垂直部を連結する連動ユニット；を備えてなり、
前記垂直部は、少なくとも前記ドローアと対応する高さまで至り、前後方向に長い形態の水平断面を有するものである、冷蔵庫。
【請求項２】
前記サイドプレートは、
水平な板体状になり、前記ベース部と前記垂直部を連結する水平部をさらに備えてなる、請求項１に記載の冷蔵庫。
【請求項３】
前記サイドプレートは、
単一プレートが折り曲げられて前記水平部と前記垂直部を成すものである、請求項２に記載の冷蔵庫。
【請求項４】
前記ベース部は、前記ドローアの下側に水平に配置され、前記リンクの後端部と連結される水平プレートを備えてなり、
前記水平部は、前記水平プレートと連結されてなる、請求項２に記載の冷蔵庫。
【請求項５】
前記垂直部は、
前記水平断面の前後方向の長さが前記水平プレートの側辺の長さより短いものである、請求項４に記載の冷蔵庫。
【請求項６】
前記ベース部は、
前記水平プレートの両側から上方に伸びる一対の支持壁をさらに備えてなり、
前記一対の支持壁によって支持されるドローアをさらに備えてなる、請求項４に記載の冷蔵庫。
【請求項７】
前記垂直部には突起締結口が形成され、
前記連動ユニットは、
前記ドローアに側方向に移動可能に配置され、移動した位置によって前記突起締結口に挿入されるか、又は前記突起締結口から分離される連結突起を備えてなる、請求項１に記載の冷蔵庫。
【請求項８】
前記連結突起は、
前記貯蔵室の側面に向かう方向に移動するときには前記突起締結口内に挿入され、前記側面から遠くなる方向に移動するときには前記突起締結口から分離されてなる、請求項７に記載の冷蔵庫。
【請求項９】
前記ドローアの側面には突起締結口が形成され、
前記連動ユニットは、
前記垂直部上に側方向に移動可能に配置されてなり、移動した位置によって前記突起締結口に挿入されるか、又は前記突起締結口から分離される連結突起を備えてなる、請求項１に記載の冷蔵庫。
【請求項１０】
前記連動ユニットは、
前記垂直部から前記ドローアに向かって突出する連結マウント；
前記貯蔵室の側面と前記ドローアの間に配置され、前記連結マウントと結合される中間連動部材；及び
前記ドローア上に側方向に移動可能に備えられてなり、移動した位置によって前記中間連動部材と結合されるか、又は分離されるスライド連動部材を備えてなる、請求項１に記載の冷蔵庫。
【請求項１１】
前記ドローアには、前記スライド連動部材が側方向に移動することができるように支持するホルダーが形成されてなり、
前記ホルダーは、
前記スライド連動部材を下側で支持し、側方向に長く伸びる下側支持板、及び
前記下側支持板から上側に伸びて前記スライド連動部材の後側に位置する係止突起を備え、
前記連結マウントには電源供給線が通過する貫通口が形成されてなり、
前記スライド連動部材は、
前記下側支持板によって支持される連動部材ハウジング；及び
前記連動部材ハウジングから前記貯蔵室の側面に向かって突出する接続端子；を備えてなり、
前記中間連動部材は、
前記接続端子が挿入されるソケットを備えてなり、
前記連結マウントの貫通口を通過した前記電源供給線が前記ソケットに案内されて前記接続端子と電気的に連結されてなる、請求項１０に記載の冷蔵庫。
【発明の詳細な説明】
【技術分野】
【０００１】
本発明は冷蔵庫に関するものである。
【背景技術】
【０００２】
冷蔵庫は飲食物を冷蔵状態又は冷凍状態で保管するために使われる家電器機である。
【０００３】
近年には、冷蔵庫の容量が大型化しており、冷蔵庫ドアの背面にもホームバー、アイスメーカー、棚又はドアボックスなどが装着される趨勢にある。このような形態の冷蔵庫の場合、冷蔵庫ドアを閉めたとき、冷蔵庫本体の貯蔵室に装着される棚や引き出しと前記冷蔵庫ドアの背面に装着された構成部品が互いに干渉する可能性を持っている。
【０００４】
このような干渉問題を解消するために、冷蔵庫本体の貯蔵室、つまり冷蔵室又は冷凍室の内部に装着される貯蔵物収容部（例えば、棚又は引き出し）の前端部が前記冷蔵庫本体の前面から所定距離だけ後退した地点に配置される。
【０００５】
したがって、前記貯蔵物収容部に貯蔵された飲食物を引き出すためにユーザーは貯蔵室の奥に手を深く入れなければならない不便さがあり、貯蔵室の内側後方に貯蔵された飲食物はユーザーが確認し難い。このような問題は、冷蔵庫の大型化の趨勢に従い、貯蔵室が深くなるほど大きく現れる。
【０００６】
このような欠点を改善するために多様な方法が提案されて来た。特に、本発明の出願人が出願した大韓民国公開特許第２０１０−０１３０３５７号（以下、‘３５７特許という）は冷蔵室又は冷凍室の内部に取り付けられる棚や引き出しが収納フレームに置かれ、多関節リンクの前端部が冷蔵庫ドアの底面に連結され、後端部が前記収納フレームに連結される構造を開示している。よって、冷蔵庫ドアを回転させて開放すれば、前記収納フレームが前方に移動しながら棚及び引き出しが冷蔵庫の前方に移動することになる。
【０００７】
このような構造の冷蔵庫の場合、前記棚及び引き出しの荷重が全て前記収納フレームに伝達される。言い換えれば、前記収納フレームは、前記棚及び引き出しの荷重及び前記棚及び引き出しに収納された飲食物の荷重が全て収納フレームに集中する構造であるので、荷重を充分に支えるように収納フレームの構造を設計することが重要である。これにより、収納フレームの構造が複雑になり、体積が増加し、収納フレームそのものの重さが重くなるだけでなく、収納フレームが占める空間によってその分だけ貯蔵室の容積が減る問題があった。
【０００８】
また、ho‘３５７特許の場合、ドアに連動して収納フレームを移動させるリンクが収納フレームの下面に連結されるから、前記リンクを介して加わる力の作用点は前記収納フレームの下面上に位置するが、ドローアの質量中心は前記収納フレームの下面上側に集中する。このために、リンクによる力の作用線と前記ドローアの慣性による力の作用線が同一線上に存在しないため、前記収納フレームに曲げモーメント（ｂｅｎｄｉｎｇ ｍｏｍｅｎｔ）又はせん断力が作用して収納フレームの変形が発生し、このような現象はドローアに入れられた貯蔵物の重さが増加するほど酷くなる。特に、‘３５７特許の場合、ドローアの荷重が収納フレームによって支持されるため、前記ドローアによって作用する荷重は前記ドローアの慣性と一緒に収納フレームの変形を一層促進させる原因となる。
【０００９】
また、‘３５７特許の場合、収納フレームから加わる荷重が収納フレームの下面に取り付けられたレールに全て集中するから、レールが正常に作動するようにいつも維持されなければならない。しかし、 ‘３５７特許では、決まった規格内で十分な耐久性を有するレールを設計することが現実的に制限される。
【００１０】
また、収納フレームから加わる総荷重がレールに集中する構造は、収納フレームが移動中に易しく搖れることができる。このような搖れが持続してレールや収納フレームに変形が生じる場合、結局には収納フレームの移動動作が安定にできなくなる問題がある。
【００１１】
日本国特許公開ＪＰ２００４−９３０３９Ａ（以下、‘０３９特許という）は貯蔵室内に備えられた棚がアームを介してドアに連結され、ドアの開放の際、前記棚が前記アームによって引き出される冷蔵庫を開示している。アームは棚と直接連結されている。よって、多数の棚がドアに連動して一緒に引き出されるようにするために、アームも多数備えられてそれぞれの棚に連結される。
【００１２】
また、アームが棚の高さに対応して取り付けられなければならないため、アームの設置位置が制限的である。特に、貯蔵室の中間に位置する棚に連結されたアームはかなりの部分がユーザーに露出するしかない。
【００１３】
また、‘３５７特許及び‘０３９特許は、収納フレームの構造が貯蔵室内にそのまま露出する。このために、美観上にも良くないだけでなく、前記収納フレームが占有する空間の分だけ貯蔵空間が減少し、前記収納フレームによって貯蔵室内の冷気の循環が阻害される問題がある。
【発明の概要】
【発明が解決しようとする課題】
【００１４】
本発明が解決しようとする課題は、第一、ドアに連動してドローアを自動で引き出すか（ドローアが前方に移動）あるいは復帰（ドローアが後方に移動）させるフレームを提供し、前記ドローアの荷重を支持する役目はドローアガイドが専担し、前記フレームは前記ドローアガイドによって支持されるドローアを移動させる役目のみを担う冷蔵庫を提供することである。
【００１５】
第二、前記フレームを支持するフレームガイドに作用する集中荷重を減少させて前記フレームの円滑な動作を保障する冷蔵庫を提供することである。
【００１６】
第三、前記フレームを前後方に長い形態の水平断面を有する垂直部を含んで構成することで、前記フレームが前記ドローアによって作用する反発力に対して十分な剛性を有する冷蔵庫を提供することである。
【００１７】
第四、前記フレームを構成するサイドプレートを内部キャビネットと外部キャビネットの間の空間を用いて取り付けた冷蔵庫を提供することである。
【００１８】
第五、リンクによってドアに連動するベース部は貯蔵室の内側に配置され、サイドプレートが内部キャビネットに形成されたフレーム案内スリットを通過する水平部と、前記水平部から上側に伸びて前記内部キャビネットと外部キャビネットの間に配置される垂直部とを含んでなり、前記水平部が貯蔵室内で前記ベース部と連結される冷蔵庫を提供することである。
【００１９】
第六、ユーザーが連動ユニットを操作して、ドアの開閉動作によって自動で引き出されるドローアを選択的に構成することができる冷蔵庫を提供することである。
【００２０】
第七、連動ユニットを介して、ドローアに取り付けられた照明などの電装部品に電源が供給される冷蔵庫を提供することである。
【００２１】
第八、フレームを構成するサイドプレートの前後方向への長さをベース部の側辺の長さより短く形成し、それによって前記サイドプレートが通過するフレーム案内スリットの長さも減らした冷蔵庫を提供することである。
【００２２】
第九、サイドプレートを構成する垂直部から突出する連結マウントが内部キャビネットの側壁に形成された連動ユニット案内スリットによって支持される冷蔵庫を提供することである。
【００２３】
第十、連動ユニットの取付け及び分離が貯蔵室内でなされる冷蔵庫を提供することである。
【００２４】
第十一、貯蔵室内に配置された複数のドローアの一部はその荷重がドローアガイドによって支持され、他の一部はフレームを構成するベース部によって支持される冷蔵庫を提供することである。
【００２５】
第十二、ドローア（例えば、棚）に照明が備えられた冷蔵庫を提供することである。
【００２６】
第十三、連動ユニットを介して、前記ドローアに備えられた照明などの電装部品に電源を供給することができる冷蔵庫を提供することである。
【課題を解決するための手段】
【００２７】
本発明の冷蔵庫は、キャビネットに形成された貯蔵室内に貯蔵物を収容するドローアが前記貯蔵室内に配置されたドローアガイドによって移動可能に支持されることができる。前記貯蔵室内には、フレームガイドによって前後方向に移動可能に支持されるフレームが備えられることができ、前記貯蔵室を開閉するドアがリンクによって前記フレームと連結されることができる。前記フレームは、前記ドローアの下側に配置されるベース部が前記リンクと連結され、前記ベース部から伸びて、前記ドローアと対応する高さまで至るサイトプレートを含むことができる。
【００２８】
前記サイドプレートは、前記ベース部に対して垂直な垂直部を含むことができる。前記垂直部を水平に切断した断面は前記ドローアの移動方向に沿って長く伸びる形態になることができる。前記フレームと一緒に前記ドローアが移動することができるように、前記垂直部が前記ドローアと連結されることができる。
【００２９】
前記ドローアの荷重が前記ドローアガイドによって支持された状態で、前記連動ユニットによって互いに連結された前記フレームと前記ドローアが一体に移動する。前記ドローアガイドによって支持されるドローアの荷重は前記垂直部には加わらないので、前記ドローアの荷重を支持する構成と前記ドローアを移動させる構成が分離されることができる。
【００３０】
ドアの開閉動作により、リンクを介して前記ドアと連結されたフレームが移動する。ここで、前記フレームは、前記リンクと連結されたベース部と、前記ベース部から上側に伸び、ドローアと連結されたサイドプレートとを含んでなる。よって、前記ドアの開閉動作によって前記リンクが作動すれば、前記サイドプレートが前記ベース部と一緒に移動し、前記サイドプレートと連結されたドローアも一緒に移動する。ここで、前記サイドプレートは、前記ベース部から上側に伸びる部分の水平断面が前記ドローアの移動方向に沿って長く伸びる形態になり、前記ドローアから加わる反発力に対して効果的に対応することができる。
【００３１】
本発明の一実施例による冷蔵庫は、開口部が形成された前面と、前記前面から後方に伸び、互いに対向する一対の側面と、前記一対の側面の各上端部を互いに連結する上面と、前記一対の側面の各下端部を互いに連結し、前記上面と対向する下面と、前記一対の側面と前記上面と前記下面とを互いに連結し、前記開口部と対向する後面とによって構成される貯蔵室を形成するキャビネットを含むことができる。
【００３２】
前記キャビネットは、開口部が形成された前面と、前記前面から後方に伸び、互いに対向する一対の側面と、前記一対の側面の各上端部を互いに連結する上面と、前記一対の側面の各下端部を互いに連結し、前記上面と対向する下面と、前記一対の側面と前記上面と前記下面とを互いに連結し、前記開口部と対向する後面とによって構成される貯蔵室を形成する内部キャビネットを含むことができる。
【００３３】
前記キャビネットは、前記内部キャビネットの外側に配置され、前記内部キャビネットとの間に所定の空間を形成する外部キャビネットを含むことができる。
【００３４】
前記内部キャビネットの側面には、前後方向に水平に伸びるフレーム案内スリットと、前記フレーム案内スリットの上側に前記フレーム案内スリットと平行に伸びる連動ユニット案内スリットとが形成されることができる。
【００３５】
前記冷蔵庫は、前記キャビネットに回転可能に連結され、前記開口部を開閉するドアを含むことができる。
【００３６】
前記冷蔵庫は、前記貯蔵室内に配置されて貯蔵物を収容するドローアを含むことができる。
【００３７】
前記冷蔵庫は、前記貯蔵室内に配置され、後端が前記貯蔵室の後面に結合され、前記後端から前記開口部に向かって水平に伸びるカンチレバーを含むことができる。
【００３８】
前記ドローアは、前記カンチレバーによって支持され、前記カンチレバーの長手方向に沿って移動可能に配置されることができる。
【００３９】
前記ドローアは上下方向に複数が配置され、前記カンチレバーは上下方向に複数が配置され、前記複数のドローアのそれぞれを支持することができる。
【００４０】
前記カンチレバーは、前記ドローアの下側に配置され、前記ドローアの底面を支持することができる。
【００４１】
前記ドローアの底面には、前記カンチレバーの長手方向に長く伸び、前記ドローアの移動中に前記カンチレバーの上端に沿って案内される長溝が形成されることができる。
【００４２】
前記貯蔵室の後面には前記カンチレバーの後端と分離可能に結合されるスロットが上下方向に多数配置されることができる。
【００４３】
前記冷蔵庫は、前記ドローアの下側に配置されるベース部と、前記ベース部から前記貯蔵室の上面に向かって伸びるサイドプレートとを含むことができる。前記サイドプレートは、前記カンチレバーと前記貯蔵室の側面の間に配置される垂直部を含むことができる。前記垂直部は少なくとも前記ドローアと対応する高さまで至り、前後方向に長い形態の水平断面を有することができる。
【００４４】
前記ベース部は、前記ドローアの下側に水平に配置され、前記リンクの後端部と連結される水平プレートを含むことができる。
【００４５】
前記冷蔵庫は、前記貯蔵室と前記ベース部の間に配置され、前記ベース部が前後方向に移動できるように支持するフレームガイドを含むことができる。
【００４６】
前記冷蔵庫は、前端部が前記ドアと回転可能に連結され、後端部が前記ベース部と回転可能に連結され、前記ドアの回転動作によって前記ベース部を移動させるリンクを含むことができる。
【００４７】
前記冷蔵庫は、前記ドローアが前記フレームに連動するように前記ドローアと前記垂直部を連結する連動ユニットを含むことができる。
【００４８】
前記サイドプレートは、水平な板体状になり、前記ベース部と前記垂直部を連結する水平部をさらに含むことができる。前記サイドプレートは、単一プレートが折り曲げられて前記水平部と垂直部を成すことができる。
【００４９】
前記垂直部は、前記水平部から伸びる垂直延長区間、及び前記垂直延長区間から前方に所定の長さだけ突出する水平突出区間を含むことができる。
【００５０】
前記水平突出区間は、互いに異なる高さに多数形成されることができる。
【００５１】
前記水平突出区間は、前記複数のカンチレバーとそれぞれ対応する高さに形成されることができる。
【００５２】
前記水平部は前記水平プレートと連結されることができる。
【００５３】
前記垂直部は、前記水平断面の前後方向の長さが前記水平プレートの側辺の長さより短くてもよい。
【００５４】
前記ベース部は、前記水平プレートの両側から上方に伸びる一対の支持壁をさらに含むことができる。前記冷蔵庫は、前記一対の支持壁によって支持されるドローアをさらに含むことができる。
【００５５】
前記一対の支持壁によって支持されるドローアにはローラーが備えられ、前記支持壁には、前後方向に長く伸びて前記ローラーを支持する固定レールが配置されることができる。
【００５６】
前記リンクの後端部は前記水平プレートの底面と連結されることができる。
【００５７】
前記水平部は前記水平プレートの底面と連結されることができる。
【００５８】
前記フレームガイドは前記貯蔵室の下面と前記水平プレートの間に配置されることができる。
【００５９】
前記垂直部には突起締結口が形成されることができる。前記連動ユニットは、前記ドローアに側方向に移動可能に配置され、移動した位置によって前記突起締結口に挿入されるかあるいは前記締結口から分離される連結突起を含むことができる。
【００６０】
前記連結突起は、前記貯蔵室の側面に向かう方向に移動するときには前記突起締結口内に挿入され、前記側面から遠くなる方向に移動するときには前記突起締結口から分離されることができる。
【００６１】
前記ドローアは上下方向に多数が配置され、前記突起締結口は前記多数のドローアとそれぞれ対応する高さに形成されることができる。
【００６２】
前記ドローアの側面には突起締結口が形成されることができる。前記連動ユニットは、前記垂直部上に側方向に移動可能に配置され、移動した位置によって前記突起締結口に挿入されるかあるいは前記突起締結口から分離される連結突起を含むことができる。
【００６３】
前記連動ユニットは、前記垂直部から前記ドローアに向かって突出する連結マウント、前記貯蔵室の側面と前記ドローアの間に配置され、前記連結マウントと結合される中間連動部材、及び前記ドローア上に側方向に移動可能に備えられ、移動した位置によって前記中間連動部材と結合されるかあるいは分離されるスライド連動部材、を含むことができる。
【００６４】
前記中間連動部材は、前記連結マウントが挿入される結合溝が形成されることができる。
【００６５】
前記連結マウントは上下方向に複数が配置され、前記結合溝は前記複数の連結マウントと対応して複数が形成されることができる。
【００６６】
前記ドローアには、前記スライド連動部材が側方向に移動することができるように支持するホルダーが形成されることができる。
【００６７】
前記ホルダーは、前記スライド連動部材を下側で支持し、側方向に長く伸びる下側支持板、及び前記下側支持板から上側に伸び、前記スライド連動部材の後側に位置する係止突起を含むことができる。
【００６８】
前記中間連動部材は、前記ドローアと対向する面に挿入溝が形成され、前記スライド連動部材は、前記ドローア上の前記スライド連動部材の位置によって、前記挿入溝内に挿入されるかあるいは前記挿入溝から分離される連結突起を含むことができる。
【００６９】
前記冷蔵庫は、前記ドローアから後方に突出するガイド突起をさらに含むことができる。前記スライド連動部材は、前記ドローアと対向する前面に前記ガイド突起が挿入される突起挿入溝が前記スライド連動部材の移動方向に沿って形成され、前記突起挿入溝は前記ガイド突起の外径より長く形成されることができる。
【００７０】
前記連結マウントには電源供給線が通過する貫通口が形成されることができる。前記スライド連動部材は、前記下側支持板によって支持される連動部材ハウジング、及び前記連動部材ハウジングから前記貯蔵室の側面に向かって突出する接続端子を含むことができる。前記中間連動部材は、前記接続端子が挿入されるソケットを含むことができる。前記連結マウントの貫通口を通過した前記電源供給線が前記ソケットに案内されて前記接続端子と電気的に連結されることができる。
【００７１】
前記中間連動部材には、前記電源供給線を前記ソケットに案内する電源線誘導溝が形成されることができる。
【００７２】
前記冷蔵庫は、前記ドローアから後方に突出し、中空を有する管状を成すガイド突起をさらに含むことができる。前記接続端子と連結された電線が前記中空を通過して、前記ドローアに備えられた照明と連結されることができる。
【００７３】
前記冷蔵庫は、前記貯蔵室内に配置され、前記貯蔵室の後面と前記ドローアを連結し、前記ドローアが前記貯蔵室内で一定の高さに位置するように支持し、前記貯蔵室の後面と前記ドローアの間の距離に対応して長さが可変する延長可能な水平支持バーを含むことができる。
【００７４】
前記サイドプレートは、前記水平支持バーと前記貯蔵室の側面の間に配置される垂直部を含むことができる。
【００７５】
前記水平支持バーは、前記貯蔵室の後面と連結され、前記後面から前方に長く伸びる固定水平バー、及び前記ドローアと連結され、前記固定水平バーと前記水平支持バーの長手方向に延長可能な結合を成す移動水平バーを含むことができる。
【００７６】
前記移動水平バーは、前記貯蔵室の後面と対向する前記ドローアの背面に連結されることができる。
【００７７】
前記サイドプレートは、前記貯蔵室の側面と前記水平支持バーの間に配置されることができる。
【００７８】
前記冷蔵庫は、前記貯蔵室の側面に配置され、前記ドローアが前後方向に移動できるように案内するドローアガイドを含むことができる。
【００７９】
前記サイドプレートは、前記ドローアガイドと前記貯蔵室の後面の間に配置される垂直部を含むことができる。
【００８０】
前記ドアの回転動作による前記垂直部の移動は前記ドローアガイドと前記貯蔵室の後面の間に制限されることができる。
【００８１】
前記ドローアガイドは、前記貯蔵室の側面に固定され、前後方向に長く伸びる固定レール、及び前記ドローアに固定され、前記固定レールに沿ってスライド可能に備えられる移動レールを含むことができる。
【００８２】
前記連動ユニットは、前記移動レールの後方に配置されることができる。
【００８３】
前記冷蔵庫は、前記貯蔵室内で前記ドローアの下側に配置される水平プレートと、前記貯蔵室の側面を形成する前記内部キャビネットの側壁と前記外部キャビネットの間に配置され、前記フレーム案内スリットを介して前記水平プレートと連結される垂直部とを含むことができる。前記垂直部は少なくとも前記ドローアと対応する高さにまで至り、前後方向に長い形態の水平断面を有することができる。
【００８４】
前記冷蔵庫は、前記内部キャビネットと前記貯蔵室の間に配置され、前記水平プレートが前後方向に移動できるように支持するフレームガイドを含むことができる。
【００８５】
前記冷蔵庫は、前端部が前記ドアと回転可能に連結され、後端部が前記水平プレートと回転可能に連結され、前記ドアの回転動作によって前記水平プレートを移動させるリンクを含むことができる。
【００８６】
前記冷蔵庫は、水平な板体状になり、前記フレーム案内スリットを通過して前記水平プレートと前記垂直部を連結する水平部をさらに含むことができる。
【００８７】
前記冷蔵庫は、前記ドローアの下側に配置された水平プレートと、前記水平プレートと連結されるサイドプレートとを含むことができる。前記サイドプレートは、前記水平プレートに対して垂直に配置される垂直部を含むことができる。前記垂直部は少なくとも前記ドローアと対応する高さまで至り、前後方向に長い形態の水平断面を有することができる。
【００８８】
前記連動ユニットは、前記ドローアが前記フレームに連動するように、前記連動ユニット案内スリットを通過して前記垂直部と前記ドローアを連結することができる。
【発明の効果】
【００８９】
本発明の実施例による冷蔵庫によると、次のような効果がある。
【００９０】
第一、ドローアの荷重を支持する役目はカンチレバーが専担し、フレームは前記カンチレバーによって支持されるドローアを移動させる役目のみをするため、フレームが変形されることを防止することができる。特に、フレームを構成するサイドプレートの水平断面がドローアの進行方向に沿って長く伸びる形態になるため、フレームの厚さを薄くしても構造的に安定し、ドローアによって作用する反発力に対しても効果的に対応することができる。
【００９１】
第二、ドローアを自動で引き出すためのフレームを適用し、前記フレームを構成するサイドプレートを内部キャビネットと外部キャビネットの間の空間を用いて取り付けることで、前記サイドプレートがユーザーの視野に露出する部分を最小化することができる。それだけでなく、前記フレームが貯蔵室内で占有する容積を減らして、前記フレームの取り付けによって不可避に引き起こされる貯蔵室の容積減少を最小化することができる効果がある。
【００９２】
第三、フレームは、リンクと連結されるベース部が貯蔵室内に配置され、前記ベース部と一体に移動するサイドプレートが内部キャビネットに形成されたフレーム案内スリットを介して水平プレートと連結される。特に、サイドプレートは、前記フレーム案内スリットを通過する水平部と、前記水平部から上側に伸びて内部キャビネットと外部キャビネットの間に配置される垂直部とを含んでなることができ、前記水平部によって、貯蔵室内に配置された水平プレートと貯蔵室の外側（すなわち、内部キャビネットと外部キャビネットの間の空間）に配置された垂直部が連結される。このような構造は、内部キャビネットの外側に先にサイドプレートを配置した後、前記サイドプレートを構成する水平部を前記フレームガイドを通じて前記貯蔵室内に挿入し、前記水平部を前記貯蔵室内に位置するベース部と連結する簡単な手続きによってフレームを組み立てて取り付けることができるようにする効果がある。
【００９３】
第四、ドローアをフレームに連動させるための連動ユニットが前記フレームと選択的に結合されるかあるいは分離されるため、ドアの開閉動作によって自動で引き出されるドローアをユーザーが選択的に構成することができる。
【００９４】
第五、連動ユニットはドローアをフレームに連動させる機能だけではなく、配電機能も兼ねることができ、よって、前記連動ユニットを介して、ドローアに取り付けられた照明などの電装部品に電源を供給することができる効果がある。
【００９５】
第六、フレームにはドローアガイドによって支持されるドローアからは荷重が加わらなく、前記フレームは前記ドローアガイドによって支持されるドローアに対して、前記ドローアを移動させる機能のみをする。よって、ベース部の両側辺の一箇所にのみサイドプレートを取り付けても十分である。一つの隔室が両側の二つの貯蔵室で構成された２ドア型又は４ドア型冷蔵庫の場合において、前記二つの貯蔵室の境界（すなわち、隔室の中間部）にサイドプレートを取り付ける必要なしに、前記ドローアの一側にのみサイドプレートを取り付けても前記ドローアの自動引出機能を具現することができ、これは前記フレームが前記貯蔵室内に露出する部分を減らして、前記フレームによって冷気の循環が邪魔されることを最小化することができる効果がある。
【００９６】
第七、ドローアガイドによって支持されるドローアの荷重はフレームに加わらないため、前記フレームを構成するサイドプレートの厚さを薄く形成することができるだけではなく、前記サイドプレートの前後方向への長さも、ドローアの慣性に起因する反発力を克服することができる程度の長さであれば十分である。よって、サイドプレートの前後方向への長さをベース部の前後方向への長さより短く形成することも可能であり、これはフレームの総荷重を減少させて前記フレームの動作がより円滑になるようにするだけでなく、サイドプレートが通過するフレーム案内スリットの長さを減らすことができ、前記フレーム案内スリットを通じて漏洩する冷気の量を減らすことができる効果がある。
【００９７】
第八、サイドプレートを構成する垂直部から突出する連結マウントを内部キャビネットの側壁に形成された連動ユニット案内スリットによって案内することができ、この場合、フレームの移動中にサイドプレートの搖れを減らすことができる効果がある。
【００９８】
第九、連動ユニットの取付け及び分離が貯蔵室内でなされるため、冷蔵庫を分解しなくても連動ユニットの設置、分離、維持又は補修が容易である利点がある。
【００９９】
第十、貯蔵室内に複数のドローアが配置される場合、前記複数のドローアがそれぞれサイドプレートと連結されて一緒に移動するため、前記複数のドローアのそれぞれがドアの開放動作によって引き出される距離が一定であり、特に、前記ドアが最大に開放した状態で前記複数のドローアが上下方向にきちんと整列できる。
【図面の簡単な説明】
【０１００】
【図１】本発明の実施例に共通して適用可能な冷蔵庫の外観斜視図である。
【図２】図１の冷蔵庫のドアが開放した状態を示す図である。
【図３】本発明の第１実施例による冷蔵庫を模式的に示した斜視図である。
【図４】図３の冷蔵庫を側面で示した図で、（ａ）はドアが閉まった状態、（ｂ）はドアが開放した状態を示した図である。
【図５】本発明の第２実施例による冷蔵庫を側面で示した図で、（ａ）はドアが閉まった状態、（ｂ）はドアが開放した状態を示した図である。
【図６】本発明の第３実施例による冷蔵庫を模式的に示した斜視図である。
【図７】図６の冷蔵庫を側面で示した図で、（ａ）はドアが閉まった状態、（ｂ）はドアが開放した状態を示した図である。
【図８】本発明の第４実施例による冷蔵庫１ｄを模式的に示した斜視図である。
【図９】本発明の第５実施例による冷蔵庫を側面で示した図で、（ａ）はドアが閉まった状態、（ｂ）はドアが開放した状態を示した図である。
【図１０】本発明の第６実施例による冷蔵庫を模式的に示した斜視図である。
【図１１】本発明の第７実施例による冷蔵庫の冷蔵室を切開して示した図である。
【図１２】図１１の冷蔵室の左側冷蔵貯蔵室を前方から見た図である。
【図１３】図１１及び図１２に示したフレームとドローアの組立体を示した図である。
【図１４】図１３に示した組立体からドローアを分離して示した図である。
【図１５】サイドプレートに中間連動部材が連結された状態を示した図である。
【図１６】図１２のＡ部を拡大した断面図である。
【図１７】リンクによってドアとベース部が連結される構造を示した図である。
【図１８】中間連動部材の前面図（ａ）と背面図（ｂ）である。
【図１９】冷蔵室を下から見たもので、特にリンクによってドアと水平プレートが連結される構造を示した図である。
【図２０】連動ユニットによって棚とサイドプレートの垂直部が連結される構造を示した図である。
【図２１】図２０からスライド連動部材を除去したものを示した図である。
【図２２】図２０のＩ−Ｉに沿って切開した断面図である。
【図２３】棚とカンチレバーの組立斜視図である。
【図２４】冷蔵室内に左右両側に備えられた棚の組立斜視図である。
【図２５】図２４のII−IIに沿って切開した断面図である。
【図２６】本発明の第８実施例による冷蔵庫の冷蔵室を切開して示した図である。
【図２７】図２６に示した内部キャビネットの一部を示した図である。
【図２８】内部キャビネット内に配置されたフレームとドローアの組立体を示した図である。
【図２９】冷蔵室内を側方から見た図である。
【図３０】冷蔵室の左側冷蔵貯蔵室を前方から見た図である。
【図３１】連動ユニットによって棚とサイドプレートの垂直部が連結される構造を示した図である。
【図３２】図３１からスライド連動部材を除去したものを示した図である。
【図３３】図３１のIII−IIIに沿って切開した断面図である。
【図３４】図３０のＢ部を拡大した断面図である。
【図３５】図３０のＣ部を拡大した断面図である。
【発明を実施するための形態】
【０１０１】
本発明の利点及び特徴と、それらを達成する方法は添付図面に基づいて詳細に後述する実施例を参照すると明確になるであろう。しかし、本発明は以下で開示する実施例に限定されるものではなく、互いに異なる多様な形態に具現でき、ただ本実施例は本発明の開示が完全になるようにし、本発明が属する技術分野で通常の知識を有する者に発明の範疇を完全に知らせるために提供するものであり、本発明は請求範囲の範疇によって定義されるだけである。明細書全般にわたって同一の参照符号は同一の構成要素を示す。
【０１０２】
図１は本発明の実施例に共通して適用可能な冷蔵庫の外観斜視図である。図２は図１の冷蔵庫のドアが開放した状態を示した図である。以下で言及する “前／後／左／右／上／下”などの方向を示す表現は図１に表示したものによって定義するが、これはただ本発明が明確に理解できるように説明するためのものであり、基準をどこに置くかによって各方向を異に定義することもできるのは言うまでもない。
【０１０３】
図１及び図２を参照すると、冷蔵庫１は、内側に隔室ＲＣ、ＦＣ又は貯蔵室Ｓ１、Ｓ２、Ｓ３、Ｓ４が形成されたキャビネット１０と、キャビネット１０と回転可能に連結され、隔室ＲＣ、ＦＣを開閉するドア３ａ、３ｂ、３ｃ、３ｄとを含むことができる。隔室ＲＣ、ＦＣは前面が開口し、隔室ＲＣ、ＦＣの開口した前面がドア３ａ、３ｂ、３ｃ、３ｄによって開閉できる。隔室ＲＣ、ＦＣ内に冷気が供給され、隔室ＲＣ、ＦＣから冷気が漏洩しないように隔室ＲＣ、ＦＣはドア３ａ、３ｂ、３ｃ、３ｄによって密閉できる。
【０１０４】
隔室ＲＣ、ＦＣは二つ以上が備えられることができる。実施例のように、ボトムフリーザータイプ（ｂｏｔｔｏｍ ｆｒｅｅｚｅｒ ｔｙｐｅ）の冷蔵庫の場合、水平パーティション７によって区画されたキャビネット１０の上部と下部にそれぞれ隔室ＲＣ、ＦＣが備えられる。この場合、下側に位置する隔室ＦＣは内側の温度が０℃以下に維持される冷凍室であり、上側に位置する隔室ＲＣは内側の温度が０℃以上に維持される冷蔵室である。以下で言及する“隔室”は、必要によって冷蔵室又は冷凍室に区分しない限り、冷蔵室又は冷凍室のいずれにもなることができる。
【０１０５】
それぞれの隔室ＲＣ、ＦＣは一対のドアによって開閉できる。例えば、実施例のように、冷蔵室ＲＣを開閉する一対の冷蔵室ドア３ａ、３ｂが備えられ、冷凍室ＦＣを開閉する一対の冷凍室ドア３ｃ、３ｄが備えられることができる。
【０１０６】
貯蔵室Ｓ１、Ｓ２、Ｓ３、Ｓ４は隔室ＲＣ、ＦＣの一部又は全部を構成するもので、それぞれのドア３ａ、３ｂ、３ｃ、３ｄによって開閉される領域に定義することができる。冷蔵室ＲＣは、開口した前面が左側冷蔵室ドア３ａによって開閉される貯蔵室Ｓ１と、開口した前面が右側冷蔵室ドア３ｂによって開閉される貯蔵室Ｓ２とを含むことができる。以下、必要によって前者の場合を左側冷蔵貯蔵室Ｓ１、後者の場合を右側冷蔵貯蔵室Ｓ２に区分する。
【０１０７】
同様に、冷凍室ＦＣは、開口した前面が左側冷凍室ドア３ｃによって開閉される貯蔵室Ｓ３と、開口した前面が右側冷凍室ドア３ｄによって開閉される貯蔵室Ｓ４とを含むことができる。以下、必要によって前者の場合を左側冷凍貯蔵室Ｓ３、後者の場合を右側冷凍貯蔵室Ｓ４に区分する。
【０１０８】
このように、一つの隔室内に横方向に二つの貯蔵室が備えられた場合、前記二つの貯蔵室は互いに連通することができる。冷蔵室ＲＣは前方から見たとき、左側冷蔵貯蔵室Ｓ１と右側冷蔵貯蔵室Ｓ２を区分する部材が存在しなく、左側冷蔵貯蔵室Ｓ１と右側冷蔵貯蔵室Ｓ２の間には自由に冷気が循環することができる。この場合、冷蔵室ＲＣを一つの貯蔵室でなったものに定義することもできる。
【０１０９】
冷凍室ＦＣは、冷蔵室ＲＣとは違い、左側冷凍貯蔵室Ｓ３と右側冷凍貯蔵室Ｓ４の間に垂直パーティション２０が提供されることによって両側の貯蔵室Ｓ３、Ｓ４が区分できる。ところが、この場合にも垂直パーティション２０によって両側の方貯蔵室Ｓ３、Ｓ４の間の冷気循環が完全に遮断されなければならないものではない。例えば、垂直パーティション２０には両側の貯蔵室Ｓ３、Ｓ４を互いに連通させる通気口（図示せず）が形成されることができる。
【０１１０】
貯蔵室Ｓ１、Ｓ２、Ｓ３、Ｓ４は、開口部が形成された前面と、前記前面からそれぞれ後方に伸び、互いに対向する一対の側面と、前記一対の側面の各上端部を連結する上面と、前記上面と対向し、前記一対の側面の各下端部を連結する下面と、前記開口部と対向し、前記一対の側面、前記上面及び下面を連結する後面とによって構成することができる。
【０１１１】
このような定義によると、冷凍室ＦＣのように、一つの空間が垂直パーティション２０によって両側に分割されて横に配置された二つの貯蔵室Ｓ３、Ｓ４を形成する場合、各貯蔵室Ｓ３、Ｓ４の前面及び後面はキャビネット１０の内面によって形成されることができ、上面は冷蔵室ＲＣと冷凍室ＦＣを区画する水平パーティション７の底面によって形成されることができる。そして、前記両側面のいずれか一方はキャビネット１０の内面によって形成され、他方は前記一方の側面と対向する垂直パーティション２０の一面によって形成されることができる。
【０１１２】
もちろん、実施例によって、冷蔵室ＲＣが垂直パーティションによって両側に分割されて一対の貯蔵室が構成される場合、貯蔵室の両側面の一方と後面はキャビネット１０の内面によって形成され、下面は水平パーティション７の上面によって形成され、両側面の他方は前記両側面のいずれか一方と対向する前記垂直パーティションの一面によって形成されることができる。
【０１１３】
ドア３ａ、３ｂ、３ｃ、３ｄはキャビネット１０に回転可能に結合されて各貯蔵室Ｓ１、Ｓ２、Ｓ３、Ｓ４の開口した前面を開閉する。それぞれの貯蔵室Ｓ１、Ｓ２、Ｓ３、Ｓ４に対応してドア３ａ、３ｂ、３ｃ、３ｄが備えられることができる。ドア３ａ、３ｂ、３ｃ、３ｄの背面部、つまり貯蔵室Ｓ１、Ｓ２、Ｓ３、Ｓ４の開口した前面と対向する部分には食品を収納するドア収納部が形成されることができる。前記ドア収納部は乳製品、飲み物、野菜などの取出頻度の高い食品を収容する保管室８ａ、氷を保管するトレー８ｂ、小さく包装された冷凍食品などを保管するバスケット８ｃなどを含むことができる。ドア３ａ、３ｂ、３ｃ、３ｄが閉まった状態で、前記ドア収納部は少なくとも一部が貯蔵室Ｓ１、Ｓ２、Ｓ３、Ｓ４内に位置することができる。
【０１１４】
隔室ＲＣ、ＦＣ又は貯蔵室Ｓ１、Ｓ２、Ｓ３、Ｓ４内にはドローアＤが配置されることができる。ドローアＤは食品を収納又は載置するためのもので、カンチレバー、レール、ローラーのようなドローアガイドＤＧによって前後方向に移動可能に支持されることができる。ドローアＤは貯蔵室Ｓ１、Ｓ２、Ｓ３、Ｓ４内に上下に多数配置されることができる。この場合、それぞれのドローアＤに対応してドローアガイドＤＧが備えられることができる。
【０１１５】
ドローアＤは食品を収容する空間が形成されたコンテナー３２０（引き出し又はビン（ｂｉｎ）と言う）で構成できる。コンテナー３２０は、前記食品を収容する空間の左右両側を限定する側壁と、前記側壁の後端の間を塞ぐ後壁とを含むことができる。
【０１１６】
これとは違い、ドローアＤは水平な板体型の棚３１０で構成できる。好ましくは、棚３１０は貯蔵室Ｓ１、Ｓ２、Ｓ３、Ｓ４の後面に固定されたカンチレバー４０ａによって移動可能に支持されることができるが、必ずしもこれに限定されるものではない。
【０１１７】
もちろん、ドローアＤはユーザーがドローアＤを直接手で握って加える力によってドローアガイドＤＧに沿って移動することもできるが、これに限られず、ドローアＤはドア３ａ、３ｂ、３ｃ、３ｄの開閉動作に連動して自動で移動することもできる。このために、本発明の多くの実施例による冷蔵庫にはリンク７０によってドア３ａ、３ｂ、３ｃ、３ｄと連結されたフレーム５０が適用され、フレーム５０がドア３ａ、３ｂ、３ｃ、３ｄの開閉動作によって連動してドローアＤを移動させる。実施例に基づいてより具体的に後述する。
【０１１８】
図３は本発明の第１実施例による冷蔵庫１ａを模式的に示した斜視図である。図４は図３の冷蔵庫１ａを側面で示した図で、（ａ）はドアが閉まった状態、（ｂ）はドアが開放した状態を示した図である。以下、左側冷凍貯蔵室Ｓ３を例として説明するが、本実施例ではなく他の実施例で説明する構造は他の貯蔵室にも適用可能であるのは言うまでもない。
【０１１９】
冷蔵庫１ａは、キャビネット１０、ドア３ｃ、ドローアガイドＤＧ（以下、カンチレバー４０ａを例とする）、ドローアＤ（以下、複数のドローアの区分が必要な場合、“Ｄ”に番号をさらに付けてＤ１、Ｄ２、Ｄ３などに区分する）、フレーム５０、フレームガイド６０、リンク７０及び連動ユニット９０を含むことができる。
【０１２０】
カンチレバー４０ａはドローアＤが前後方向に移動できるように支持するもので、貯蔵室Ｓ３内に配置される。カンチレバー４０ａは後端が貯蔵室Ｓ３の後面Ｓ（ｒ）に結合され、前記後端から貯蔵室Ｓ３の開口部が形成された前面Ｓ（ｆ）に向かって水平に伸びることができる。カンチレバー４０ａはドローアＤの下側に配置されてドローアＤの底面を支持することができる。
【０１２１】
ドローアＤは上下方向に多数が備えられることができ、これに対応してカンチレバー４０ａも多数が備えられることができる。実施例では、３個のドローアＤ１、Ｄ２、Ｄ３の中で、最下側に配置されたものＤ１はベース部５１０によって支持され、残りの二つのドローアＤ２、Ｄ３はそれぞれカンチレバー４０ａによって支持される。
【０１２２】
貯蔵室Ｓの後面Ｓ（ｒ）にはカンチレバー４０ａの後端と分離可能に（又は選択的に）結合されるスロット１１５（図１１参照）が形成されることができる。スロット１１５は上下方向に多数が配置されることができる。ユーザーによって、多数のスロット１１５の中で所望のものに選択的にカンチレバー４０ａが装着できる。
【０１２３】
カンチレバー４０ａはドローアＤの底面を支持することができ、ドローアＤの底面には、カンチレバー４０ａの長手方向に長く伸び、ドローアＤの移動中にカンチレバー４０ａの上端に沿って案内される長溝（図示せず）が形成されることができる。
【０１２４】
それぞれのドローアＤが一対ずつのカンチレバー４０ａによって支持される場合、スロット１１５は横方向にはそれぞれのカンチレバー４０ａと結合可能に一対が一組をなして配列され、かつ縦方向には各組のスロット１１５が互いに異なる高さに配列できる。
【０１２５】
好ましくは、ドローアＤはカンチレバー４０ａによって静力学的に平衡状態（ｓｔａｔｅ ｏｆ ｓｔａｔｉｃ ｍｅｃｈａｎｉｃａｌ ｅｑｕｉｌｉｂｒｉｕｍ）で支持される。すなわち、ドローアＤの総荷重がカンチレバー４０ａによって支持され、ドローアＤは別の外力が加わらない限り、カンチレバー４０ａ上に静止したままで維持される。このようにドローアＤを平衡状態で支持するために、実施例では、ドローアＤに対して対称的（ｓｙｍｍｅｔｒｉｃａｌ）に一対のカンチレバー４０ａが配置されているが、必ずしもこれに限定される必要はない。例えば、カンチレバー４０ａとドローアＤの間に十分な接触面積が提供されれば、単一カンチレバー４０ａによってもドローアＤが平衡状態で支持可能であろう。
【０１２６】
フレーム５０はリンク７０を介してドア３ｃと連結され、ドア３ｃの開閉動作によって前後方向に移動するもので、ドローアＤの下側でリンク７０と連結されるベース部５１０と、ベース部５１０から上側に伸び、少なくともドローアＤと対応する高にまで至るサイドプレート５２０とを含むことができる。
【０１２７】
ベース部５１０は、ドローアＤ３の下側に配置された水平プレート５１１を含むことができる。図３に示したベース部５１０は水平プレート５１１のみで構成されるが、これに限られず、ベース部５１０は、図１４に示したように、水平プレート５１１から上側に伸びる少なくとも一つの支持壁５１２、５１３を含むこともできる。
【０１２８】
水平プレート５１１の上面は貯蔵室Ｓ３の上面Ｓ（ｕ）に向かい、水平プレート５１１の上面の反対側である水平プレート５１１の底面は貯蔵室Ｓ３の下面Ｓ（ｂ）に向かう。
【０１２９】
サイドプレート５２０がドローアＤと対応する高さまで至るように伸びるとは、サイドプレート５２０がフレーム５０によって引き出そうとするドローアＤの最下端より高い高さまで伸びなければならないことを意味する。例えば、実施例のように、ベース部５１０から隔たって上側に位置する二つのドローアＤ２、Ｄ３をフレーム５０によって自動で引き出そうとする場合、サイドプレート５２０は二つのドローアＤ２、Ｄ３の中で上側に位置するドローアＤ３の最下端より高い高さまで伸びなければならない。
【０１３０】
サイドプレート５２０は、水平プレート５１１と結合される水平部５２１と、水平部５２１から折り曲げられて上方に伸びる垂直部５２２とを含むことができる。垂直部５２２はドローアＤと貯蔵室Ｓ３の側面Ｓ（ｓ）の間に配置されることができ、前後方向に長い形態の水平断面５２５を有する形態になることができる。
【０１３１】
すなわち、垂直部５２２は左右方向の厚さと上下／前後方向に拡張される面積を有する平板（プレート）形態のもので、図３のＡ部分に示したように、垂直部５２２を任意の水平面で切断するとき、その断面５２５は厚さ（ｔ）より著しく長い前後方向への長さ（ｗ）を有する。このような平板構造により、垂直部５２２は移動過程でドローアＤの慣性又は反発による張力、拗じれ、撓みなどの外力に効果的に抵抗することができる。また、このような形態の垂直部５２２は、貯蔵室Ｓ３内で占有する空間が少ないため、貯蔵室Ｓ３内の容積（又は貯蔵容量）減少を最小化することができる効果がある。
【０１３２】
垂直部５２２は水平断面５２５の前後方向の長さ（ｗ）が水平プレート５１１の前後方向への長さより小さく形成されることができる。このような構成は、特に貯蔵室Ｓ３の側面Ｓ（ｓ）上に冷気が吐き出される吐出口がある場合、垂直部５２２による冷気循環の邪魔を減らすことができるようにする。
【０１３３】
連動ユニット９０は、ドローアＤがサイドプレート５２０に連動するように、ドローアＤとサイドプレート５２０を連結することができる。連動ユニット９０はドローアＤから貯蔵室Ｓ３の側面Ｓ（ｓ）に向かって突出してサイドプレート５２０と結合される連結突起９１を含むことができる。垂直部５２２には連結突起９１が挿入される突起締結口５２２ｃが形成されることができる。連結突起９１は突起締結口５２２ｃと分離可能に結合されることができる。
【０１３４】
連結突起９１はドローアＤ上に側方向に移動可能に配置され、移動した位置によって突起締結口５２２ｃに挿入されるかあるいは突起締結口５２２ｃから分離されることができる。すなわち、連結突起９１は貯蔵室Ｓ３の両側面Ｓ（ｓ）の中でサイドプレート５２０に隣接した側面Ｓ（ｓ）に向かう方向に移動するときには突起締結口５２２ｃと結合され、前記サイドプレート５２０に隣接した側面Ｓ（ｓ）から遠くなる方向に移動するときには突起締結口５２２ｃから分離されることができる。
【０１３５】
カンチレバー４０ａによって支持されるドローアＤ２、Ｄ３が上下に複数が備えられる場合、前記突起締結口はサイドプレート５２０上に上下方向に列をなすように複数が形成されることができる。前記複数の突起締結口は、複数のドローアＤ２、Ｄ３とそれぞれ対応する高さに形成されることができる。
【０１３６】
前記複数の突起締結口のそれぞれはいずれか一つのドローアＤ２、Ｄ３と対応するものであり、連動ユニット９０はドローアＤ１、Ｄ２、Ｄ３をそれと対応する突起締結口と連結する。すなわち、連動ユニット９０は多数が備えられることができ、ユーザーは連動ユニット９０を用いて所望のドローアＤ１、Ｄ２、Ｄ３をサイドプレート５２０と連結することができる。よって、サイドプレート５２０によって複数のドローアＤ１、Ｄ２、Ｄ３が一緒に移動することができる。
【０１３７】
実施例によって、連動ユニット９０がサイドプレート５２０上に側方向に移動可能に備えられることができる。この場合、連結突起９１は、サイドプレート５２０上の位置によって、ドローアＤの側面に形成された突起締結口（図示せず）と結合されるかあるいは前記突起締結口から分離されることができる。
【０１３８】
ベース部５１０によって支持されるドローアＤ１は連動ユニット９０によって垂直部５２２と連結されなくてもフレーム５０に連動することができるので、ドローアＤ１に対応する連動ユニット９０はなくても構わない。
【０１３９】
ドローアＤがカンチレバー４０ａによって平衡状態で支持される構造においては、連動ユニット９０によってドローアＤが垂直部５２２と連結されても、フレーム５０はカンチレバー４０ａによって支持されるドローアＤ２、Ｄ３を移動させる機能を専担するだけ、ドローアＤ２、Ｄ３の荷重を支持する役目は担わない。よって、フレーム５０に作用する荷重が減少し、よってフレーム５０の変形のおそれがない。特に、ベース部５１０によって支持されるドローアＤ１が存在する場合にも、垂直部５２２にはドローアＤ１から荷重が作用しないので、垂直部５２２をプレート形態に薄く形成しても所要剛性を確保することができる。
【０１４０】
また、フレームガイド６０にもカンチレバー４０ａによって支持されるドローアＤ２、Ｄ３からは荷重が加わらないため、長期間の使用にもフレームガイド６０が易しく変形しなく、フレームガイド６０を構成するレール、ローラーなどのベアリング部材が易しく摩耗するとか負荷集中によって正常に動作することができずに拘束される問題が易しく発生しない。
【０１４１】
フレームガイド６０は貯蔵室Ｓ３の下面Ｓ（ｂ）とベース部５１０の間に配置され、ベース部５１０が前後方向に移動できるように支持することができる。フレームガイド６０は貯蔵室Ｓ３内に固定配置され、ベース部５１０が前後方向に移動できるように案内することができる。一対のフレームガイド６０が貯蔵室Ｓ３内で幅方向（又は左右方向）に互いに隔たった位置にそれぞれ配置されることができる。
【０１４２】
フレームガイド６０はレールやローラーなどを含んで多様な形態に構成できる。一例として、フレームガイド６０は、貯蔵室Ｓ３の下面Ｓ（ｂ）に固定され、前後方向に長い固定レール６１と、水平プレート５１１の底面に固定され、前記固定レール６１に沿ってスライドする移動レール６２とを含むことができる。
【０１４３】
フレーム５０はリンク７０を介してドア３ｃと連結されることができる。よって、ドア３ｃの回転動作に対応してフレーム５０が移動することができる。ドア３ｃが開放する過程では、リンク７０がフレーム５０を前方に引くことによってフレーム５０が前方に移動し、反対に、ドア３ｃが閉まる過程では、リンク７０がフレーム５０を後方に押すことによってフレーム５０も後方に移動する。
【０１４４】
リンク７０は、前端部がドア３ｃと回転可能に連結され、後端部がベース部５１０と回転可能に連結されることにより、ドア３ｃの回転動作によってベース部５１０を移動させることができる。
【０１４５】
リンク７０はドア３ｃとベース部５１０を連結することができる。リンク７０の前端部はドア３ｃと回転可能に連結され、後端部はベース部５１０と回転可能に連結されることができる。好ましくは、リンク７０の後端部は水平プレート５２１の底面と連結される。リンク７０は少なくとも一部が水平プレート５１１と貯蔵室Ｓの下面Ｓ（ｂ）の間に配置されることができる。
【０１４６】
ドア３ｃが完全に開放した状態、つまりリンク７０によってフレーム５０が前方に最大に引き出された状態で、ドローアＤは貯蔵室Ｓ３の前面Ｓ（ｆ）を越えない。そうだとしても、カンチレバー４０ａによって許されるドローアＤの移動可能範囲を、ドローアＤが貯蔵室Ｓ３の前面Ｓ（ｆ）を越えないように制限しなければならないものではない。すなわち、ドローアＤはフレーム５０によっては貯蔵室Ｓ３の前面Ｓ（ｆ）を越えない位置までのみ前方に移動可能であるが、これはフレーム５０によってドローアＤが自動で引き出される最終位置がそうだというものである。実施例によって、ドア３ｃが最大に開放した状態でも、ユーザーが自力で、つまり手動でドローアＤをさらに引き出すことができる。このために、カンチレバー４０ａはフレーム５０による自動引出距離を超えてまでドローアＤの移動を案内するように構成できる。
【０１４７】
一方、以上で説明したフレーム５０、リンク７０、フレームガイド６０及びカンチレバー４０ａは図５〜図１０を参照して後述する実施例にもそのまま適用可能なものである。よって、後述する実施例で説明しない構成は以上で説明した内容に従うことにする。
【０１４８】
図５は本発明の第２実施例による冷蔵庫１ｂを側面で示した図で、（ａ）はドア３ｃが閉まった状態、（ｂ）はドア３ｃが開放した状態を示した図である。以下、図５を参照して説明する。
【０１４９】
冷蔵庫１ｂは、ドローアＤを支持し、長さが可変する水平支持バー４０ｂを含むことができる。水平支持バー４０ｂは貯蔵室Ｓ３内に配置されて貯蔵室Ｓ３の後面Ｓ（ｒ）とドローアＤを連結し、ドローアＤが貯蔵室Ｓ３内で一定の高さに位置するように支持する。
【０１５０】
水平支持バー４０ｂは貯蔵室Ｓ３の後面Ｓ（ｒ）とドローアＤの間の距離に対応して長さが可変する。ドア３が開放するときにはフレーム５０によってドローアＤが前方に移動するため、貯蔵室Ｓ３の後面Ｓ（ｒ）とドローアＤの間の距離が増加し、この時に水平支持バー４０ｂはその長さが増加する。反対に、ドア３が閉まる過程では、フレーム５０によってドローアＤが後方に移動し、この時に水平支持バー４０ｂはその長さが減少する。
【０１５１】
水平支持バー４０ｂは、前後方向に長く伸び、貯蔵室Ｓ３の後面Ｓ（ｒ）に固定された固定水平バー４１と、ドローアＤに固定され、固定水平バー４１と水平支持バー４０ｂの長手方向に延長可能な結合を成す移動水平バー４２とを含むことができる。ドア３ｃの開放の際、ドローアＤと一緒に移動水平バー４２が前方に移動することにより、その移動距離の分だけ水平支持バー４０ｂの全長が増加する。
【０１５２】
長さが可変する水平支持バー４０ｂは多様な実施が可能である。一例として、実施例による水平支持バー４０ｂは円筒状の固定水平バー４１の内側に挿入された移動水平バー４２がドローアＤと一緒に移動することにより、水平支持バー４０ｂの全長が可変する構造であるが、必ずしもこれに限定されなければならないものではない。
【０１５３】
移動水平バー４２は一端（又は前端）が貯蔵室Ｓの後面と対向するドローアＤの背面と結合されることができる。移動水平バー４２は実質的に水平に伸びることができ、これに対応して固定水平バー４１も水平に伸び、一端（又は後端）が移動水平バー４２と実質的に同一の高さで貯蔵室Ｓの後面Ｓ（ｒ）に固定できる。このような構造は前方に貯蔵室Ｓの内部を見るとき、水平支持バー４０ｂがドローアＤによって遮られるので、水平支持バー４０ｂ又は水平支持バー４０ｂの設置構造を隠蔽させる効果がある。
【０１５４】
ベース部５１０から隔たった多数のドローアＤ２、Ｄ３が備えられる場合、水平支持バー４０ｂは各ドローアＤ２、Ｄ３に対応して提供されることができ、それぞれのドローアＤ２、Ｄ３が水平支持バー４０ｂによって均衡状態で支持されることができる。好ましくは、一つのドローアに対して対称的に一対の水平支持バー４０ｂが提供される。
【０１５５】
実施例においては、上下方向に３個のドローアＤ１、Ｄ２、Ｄ３が配置され、これらの中で二つのドローアＤ２、Ｄ３はそれぞれ貯蔵室Ｓ３の幅方向に隔たった一対ずつの水平支持バー４０ｂによって支持された。ただ、３個のドローアＤ１、Ｄ２、Ｄ３の中で最下側に位置するものＤ１はフレーム５０のベース部５１０によって支持される。
【０１５６】
図６は本発明の第３実施例による冷蔵庫１ｃを模式的に示した斜視図である。図７は図６の冷蔵庫１ｃを側面で示した図で、（ａ）はドアが閉まった状態、（ｂ）はドアが開放した状態を示した図である。以下、図６及び図７を参照して説明する。
【０１５７】
ドローアガイドＤＧはドローアＤが前後方向に移動できるように案内するもので、ドローアＤはドローアガイドＤＧによって均衡状態で支持されることができる。一対のドローアガイドＤＧが貯蔵室Ｓ３内で幅方向（又は左右方向）に互いに離隔するように配置されることができ、それぞれのドローアガイドＤＧはドローアＤと貯蔵室Ｓ３の側面Ｓ（ｓ）の間に配置されることができる。
【０１５８】
ドローアガイドＤＧはレールやローラーなどを含んで多様な形態に構成できる。実施例によるドローアガイド４０ｃは、貯蔵室Ｓ３の側面Ｓ（ｓ）に固定され、前後方向に長い固定レール４７と、ドローアＤに固定され、ドローアＤの移動時に固定レール４７に沿ってスライドする移動レール４８とを含み、移動レール４８は好ましくは貯蔵室Ｓ３の側面Ｓ（ｓ）と対向するドローアＤの側面に固定される。
【０１５９】
他の例として、ドローアガイドＤＧは、貯蔵室Ｓ３の側面Ｓ（ｓ）に固定された固定レールと、ドローアＤに回転可能に備えられ、ドローアＤの移動中に前記固定レールに沿って転がりながら移動するローラーとを含むことができる。
【０１６０】
サイドプレート５２０の垂直部５２２は移動中にドローアガイド４０ｃと干渉しないようにドローアガイド４０ｃと貯蔵室Ｓ３の後面Ｓ（ｒ）の間に配置され、ドア３ｃの回転動作によって決まる移動範囲もドローアガイド４０ｃと貯蔵室Ｓ３の後面Ｓ（ｒ）の間に制限されることができる。特に、連動ユニット９０はドローアＤに配置された移動レール４８の後方に配置されることができる。好ましくは、垂直部５２２は固定レール４７の後方に配置され、連動ユニット９０はドローアＤに固定された移動レール４８の後方に配置される。
【０１６１】
垂直部５２２が貯蔵室Ｓ３の側面Ｓ（ｓ）と密着するか充分に近接した場合にも、リンク７０によって垂直部５２２が前方に移動する過程で垂直部５２２の前端が固定レール４７と干渉しないように、フレーム５０によってドローアＤが前方に最大に引き出された状態でも、垂直部５２２は固定レール４７の後方に位置することが好ましい。
【０１６２】
図８は本発明の第４実施例による冷蔵庫１ｄを模式的に示した斜視図である。図８を参照すると、キャビネット１０は、内部キャビネット１１０と、外部キャビネット１２０とを含むことができる。内部キャビネット１１０には貯蔵室（以下、左側冷凍貯蔵室Ｓを例とする）が形成されることができる。
【０１６３】
外部キャビネット１２０は内部キャビネット１１０の外側に配置され、内部キャビネット１１０との間に所定の空間をなす。特に、貯蔵室Ｓ３の側面Ｓ（ｓ）は内部キャビネット１１０の側壁１１１によって形成されることができ、内部キャビネット１１０の側壁１１１と外部キャビネット１２０の間の空間にサイドプレート５２０の垂直部５２２が配置することができる。
【０１６４】
ベース部５１０が内部キャビネット１１０内に配置され、垂直部５２２は内部キャビネット１１０の外側に配置される構造を具現するため、内部キャビネット１１０にはベース部５１０又はサイドプレート５２０が通過するフレーム案内スリット１１７が形成されることができる。すなわち、フレーム案内スリット１１７はベース部５１０とサイドプレート５２０が互いに連結されるように媒介するものであり、本実施例においては、サイドプレート５２０の水平部５２１がフレーム案内スリット１１７を通過するように配置され、水平部５２１の一端がベース部５１０と結合される。他端から伸びる垂直部５２２が内部キャビネット１１０の側壁１１１と外部キャビネット１２０の間に配置される。
【０１６５】
フレーム案内スリット１１７は、その内側に挿入された水平部５２１が前後方向に移動できるように、水平部５２１の前後方向への長さより長く形成されることができる。
【０１６６】
サイドプレート５２０の垂直部５２２が内部キャビネット１１０と外部キャビネット１２０の間に配置されるので、垂直部５２２２によって貯蔵室Ｓ３内での冷気循環が邪魔されないだけでなく、垂直部５２２がユーザーに露出せずに隠蔽されることができる。
【０１６７】
また、垂直部５２２が貯蔵室Ｓ３の外側に位置するので、ドローア（特に、棚３１０）に置かれた飲食物が垂直部５２２と干渉することを防止する効果がある。
【０１６８】
一方、垂直部５２２が内部キャビネット１１０の外側に位置するため、連動ユニット９０が垂直部５２２とドローアＤを連結するために、内部キャビネット１１０の側壁１１１には連動ユニット９０が通過する連動ユニット案内スリット１１８が形成されることができる。連動ユニット案内スリット１１８は前後方向に長く形成され、ドローアＤの移動中に連動ユニット９０が連動ユニット案内スリット１１８に沿って案内されることができる。実施例のようにカンチレバー４０ａによって支持されるドローアＤ２、Ｄ３が複数備えられる構成に対応し、連動ユニット案内スリット１１８は上下方向に複数が備えられることができる。
【０１６９】
連動ユニット９０がドローアＤ２、Ｄ３上に側方向に移動できる備えられ、連動ユニット９０の連結突起９１（図３参照）が連動ユニット案内スリット１１８を通過して、垂直部５２２に形成された突起締結口５２２ｃ（図３参照）に挿入されるか、あるいは突起締結口５２２ｃから分離されることができる。
【０１７０】
図９は本発明の第５実施例による冷蔵庫１ｅを側面で示した図で、（ａ）はドアが閉まった状態、（ｂ）はドアが開放した状態を示した図である。図９を参照すると、本実施例による冷蔵庫１ｅは、図８を参照して説明した冷蔵庫１ｄと比較するとき、ドローアＤが延長可能な形態の水平支持バー４０ｂによって支持される点に違いがある。水平支持バー４０ｂは図５に示したものと実質的に同一のもので、水平支持バー４０ｂについての説明は図５とこれを参照して前述したものに従うことにし、省略する。
【０１７１】
図１０は本発明の第６実施例による冷蔵庫１ｆを模式的に示した斜視図である。以下、左側冷凍貯蔵室Ｓ３を例として説明するが、以下で説明する構造は他の貯蔵室にも適用可能であるのは言うまでもない。
【０１７２】
図１０を参照すると、冷蔵庫１ｆは、図６及び図７に示した冷蔵庫１ｃと比較するとき、サイドプレート５２０の垂直部５２２が内部キャビネット１１０の側壁１１１と外部キャビネット１２０の間に配置されるという点に違いがある。その他に、ドア３、ドローアガイド４０ｃ、ドローアＤ、フレームガイド６０、リンク７０及び連動ユニット９０は前述したものと実質的に同一であるので、それについての説明は前述したものに従うことにし、省略する。
【０１７３】
図８及び図９を参照して前述した実施例と同様に、内部キャビネット１１０の側壁１１１にはフレーム案内スリット１１７と連動ユニット案内スリット１１８が形成されることができる。
【０１７４】
連動ユニット９０が移動中にドローアガイド４０ｃと干渉しないように、連動ユニット９０と連動ユニット案内スリット１１８の位置が決められなければならない。本実施例では、連動ユニット案内スリット１１８がドローアガイド４０ｃより上側に形成されるが、必ずしもこれに限定されるものではない。例えば、連動ユニット案内スリット１１８はドローアガイド４０ｃより下側に形成されることもできる。これとは違い、図７を参照して説明したものと同様に、連動ユニット９０の移動がドローアガイド４０ｃと貯蔵室Ｓ３の後面Ｓ（ｒ）の間でなされるように、連動ユニット案内スリット１１８がドローアガイド４０ｃの後側に位置するように形成されることができる。
【０１７５】
図１１は本発明の第７実施例による冷蔵庫１ｇの冷蔵室ＲＣを切開して示した図である。図１２は図１１の冷蔵室ＲＣの左側冷蔵貯蔵室Ｓ１を前方から見た図である。図１３は図１１及び図１２に示したフレーム５０とドローア３１０、３２０ａ、３２０ｂの組立体を示した図である。図１４は図１３に示した組立体からドローア３１０、３２０ａ、３２０ｂを分離して示した図である。図１５はサイドプレート５２０に中間連動部材９１０が連結された状態を示した図である。図１６は図１２のＡ部を拡大した断面図である。図１７はリンク７０によってドア３ａとベース部５１０が連結される構造を示した図である。図１８は中間連動部材９１０の前面図（ａ）と背面図（ｂ）である。図１９は冷蔵室ＲＣを下から見た図で、特にリンク７０によってドア３ａと水平プレート５１１が連結される構造を示した図である。図２０は連動ユニット９０によって棚３１０とサイドプレート５２０の垂直部５２２が連結される構造を示した図である。図２１は図２０からスライド連動部材９５０を除去したものを示した図である。図２２は図２０のＩ−Ｉに沿って切開した断面図である。図２３は棚３１０とカンチレバー４０ａの組立斜視図である。図２４は冷蔵室ＲＣ内に左右両側に備えられた棚３１０（Ｌ）、３１０（Ｒ）の組立斜視図である。図２５は図２４のII−IIに沿って切開した断面図であ
る。以下、図１１〜図２５を参照して説明する。
【０１７６】
以下、“貯蔵室”は図２に示した冷蔵庫１００の冷蔵室ＲＣを構成するものを例として説明するが、必ずしもこれに限定されなければならないものではないことを明示する。前記貯蔵室は冷凍室又は冷蔵室のいずれを構成しても構わなく、一つの隔室が横方向に配列された二つの貯蔵室で構成される場合には前記二つの貯蔵室のいずれにもなることができ、実施例によっては、一つの隔室（冷蔵室又は冷凍室）の全部が一つの貯蔵室を成すこともできる。
【０１７７】
キャビネット１０は内部キャビネット１１０と外部キャビネット１２０を含むことができる。外部キャビネット１２０は内部キャビネット１１０の外側に配置され、内部キャビネット１１０との間に所定の空間をなすことができる。前記空間内には断熱材３５（図１６参照）が充填されることができる。
【０１７８】
冷蔵室ＲＣ内にはドローアＤが配置されることができる。ドローアＤは上下方向に多数備えられることができる。実施例では、左側冷蔵貯蔵室Ｓ１内に上下に４個のドローアＤが配置され、上側の二つはそれぞれが一対のカンチレバー４０ａによって支持される棚３１０であり、下側の二つはフレーム５０を構成するベース部５１０によって支持されるコンテナー３２０ａ、３２０ｂである。
【０１７９】
一つの棚３１０を支持する一対のカンチレバー４０ａを互いに一定の間隔で維持させるバー（ｂａｒ）４５が備えられることができる。バー４５は、一つの棚３１０を支持する一対のカンチレバー４０ａの間に配置され、一端が一対のカンチレバー４０ａのいずれか一方と連結され、他端が他方と連結されることができる。
【０１８０】
カンチレバー４０ａは冷蔵室ＲＣ内に配置され、棚３１０が前後方向に移動できるように支持する。カンチレバー４０ａは後端が内部キャビネット１１０の後壁１１３と結合され、前記後端から冷蔵室ＲＣの開口した前面に向かって水平に伸びることができる。
【０１８１】
冷蔵室ＲＣの後面Ｓ（ｒ）をなす内部キャビネット１１０の後壁１１３には上下方向に多数のスロット１１５が形成され、カンチレバー４０ａが一つ以上の締結口１１５と分離可能に結合されることができる。
【０１８２】
図２３及び図２４を参照すると、カンチレバー４０ａの後端には一対の締結突起４１１、４１２が形成されることができ、一対の締結突起４１１、４１２がそれぞれスロット１１５と結合されることができる。スロット１１５は一定の間隔で配置されることができる。以下、一つのカンチレバー４０ａと結合される二つのスロット１１５のうち、下側に位置するものを第１スロット１１５ａといい、上側に位置するものを第２スロット１１５ｂと言う（図１２参照）。
【０１８３】
一対の締結突起４１１、４１２のうち、下側に位置する第１締結突起４１１はカンチレバー４０ａから後方に直線形に伸び、前後方向に第１スロット１１５ａを自由に通過することができるが、第２締結突起４１２は端部が下方に折り曲げられたフック形に形成されるので、第２スロット１１５ｂ内に挿入された状態で第２スロット１１５ｂの周りに係止される。よって、設置が完了したカンチレバー４０ａを前方に引っぱっても後壁１１３から分離されない。
【０１８４】
棚３１０には支持部２３が備えられることができる。支持部２３は棚３１０に置かれた飲食物又は容器が後に倒れて棚３１０から落下することを防止するために提供される。支持部２３は所定の直径を有する剛性バーがｎ字形に折り曲げられた形態に棚３１０の上面に直立することができる。他の方法として、所定の高さと棚３１０の幅に対応する幅を有するプレート状の支持部が棚３１０の上面の後側部分に直立して取り付けられることも可能である。
【０１８５】
カンチレバー４０ａは棚３１０の底面を支持することができる。棚３１０は方形板状に形成され、一つの棚３１０が一対のカンチレバー４０ａによって支持され、これに対応してスロット１１５も２列に配置されることができる。
【０１８６】
棚３１０はカンチレバー４０ａによって静力学的に平衡状態（ｓｔａｔｅ ｏｆ ｓｔａｔｉｃ ｍｅｃｈａｎｉｃａｌ ｅｑｕｉｌｉｂｒｉｕｍ）で支持されることができる。すなわち、棚３１０の総荷重がカンチレバー４０ａによって支持され、棚３１０に別の外力が作用しない限り、棚３１０がカンチレバー４０ａ上で静止したままで維持される。
【０１８７】
図１２〜図１４を参照すると、フレーム５０はベース部５１０とサイドプレート５２０とを含むことができる。ベース部５１０はコンテナー３２０ｂの下側（すなわち、多数のドローアの中で最下側に位置するもの３２０ｂより下側）に配置される水平プレート５１１を含むことができ、サイドプレート５２０は水平プレート５１１と結合されることができる。
【０１８８】
図１４、図１７及び図１９を参照すると、フレーム５０はリンク７０を介してドア３ａと連結されることができる。よって、ドア３ａの回転動作に対応してフレーム５０が移動することができる。ドア３ａが開放する過程では、リンク７０がフレーム５０を前方に引くことにより、フレーム５０が前方に移動する。反対に、ドア３ａが閉まる過程では、リンク７０がフレーム５０を後方に押すので、フレーム５０も後方に移動する。リンク７０は水平プレート５１１の下側に配置され、後端部が水平プレート５１１の底面と連結されることができる。
【０１８９】
リンク７０は一端がドア３ａと回転可能に連結され、他端がベース部５１０の水平プレート５１１と回転可能に連結されることにより、ドア３ａの回転動作によってベース部５１０を移動させることができる。この際、サイドプレート５２０がベース部５１０と一体に移動することにより、後述する連動ユニット９０（図２０参照）によってサイドプレート５２０と連結された棚３１０も一緒に移動することになる。
【０１９０】
ドア３ａが完全に開放した状態、すなわちリンク７０によってフレーム５０が前方に最大に引き出された状態で、好ましくは棚３１０は冷蔵室ＲＣの前面を越えない。そうだとしても、カンチレバー４０ａによって許される棚３１０の移動可能範囲を、棚３１０が冷蔵室ＲＣの前面を越えないように制限しなければならないものではない。すなわち、ドア３ａが完全に開放した状態で、棚３１０は冷蔵室ＲＣの前面を越えない位置にあるが、これはドア３ａに連動するフレーム５０によって棚３１０が自動で引き出される最終位置がそうだというものである。ドア３ａが最大に開放した状態でも、ユーザーが自力で、すなわち手動で棚３１０をさらに引き出すことができる。このために、カンチレバー４０ａはフレーム５０による自動引出距離を超えてまで棚３１０の移動を案内するように構成できる。
【０１９１】
図１２、図１４及び図１６を参照すると、フレームガイド６０はベース部５１０が前後方向に移動できるように案内し、水平プレート５１１と貯蔵室Ｓ１の下面Ｓ（ｂ）の間に配置されることができる。フレームガイド６０は、貯蔵室Ｓ１の下面Ｓ（ｂ）に固定され、前後方向に長く伸びる固定レール６１と、水平プレート５１１の底面に固定され、水平プレート５１１の移動中に固定レール６１に沿って移動する移動レール６２とを含むことができる。
【０１９２】
図１７を参照すると、ドア３ａはヒンジブラケット１５０を介してキャビネット１０と連結されることができる。ヒンジブラケット１５０は、キャビネット１０の前面（実施例では、水平パーティション７の前面）と結合されるキャビネット結合部１５１と、キャビネット結合部１５１から前方に向かって突出するドアサポーター１５２と、ドアサポーター１５２から上下方向に伸びてドア３ａと回転可能に結合されるドア連結軸１５３とを含むことができる。
【０１９３】
ドア３ａは下方に向かう水平面を含むことができ、ドア連結軸１５３は前記水平面に形成された軸結合口１２２に挿入されることができる。前記水平面は、例えばドア３ａの底面３１を構成することができる。
【０１９４】
リンク７０は、前端部７１がドア３ａと回転可能に結合されることによって第１回転関節Ｊ１を構成し、後端部７２が水平プレート５１１と回転可能に結合されることによって第２回転関節Ｊ２を構成することができる。
【０１９５】
第１回転関節Ｊ１は、キャビネット１０に対するドア３ａの回転中心、すなわちドア３ａの回転軸ｃから所定距離（Ｒ）だけ離隔される。よって、ドア３ａが回転するとき、第１回転関節Ｊ１はドア３ａの回転軸ｃを中心に半径Ｒを有する円周上に沿って移動し、前記円周上で第１回転関節Ｊ１の位置が可変するため、第２回転関節Ｊ２も変位しながらベース部５１０を移動させる。
【０１９６】
リンク７０は、前端部７１から伸びてドア３ａの回転軸ｃから遠くなる方向にふくらむように折り曲げられた第１折曲区間７３と、第１折曲区間７３と後端部７２の間で第１折曲区間７３と反対方向にふくらむように折り曲げられた第２折曲区間７４とを含むことができる。ドア３ａが開放する過程で、第１回転関節Ｊ１はドア３ａの回転軸ｃを中心に回転するため、リンク７０の一部、特に第１回転関節Ｊ１に近接した部分がドア３ａと干渉し得る。特に、図１７に示したように、リンク７０の前端部７１がドア３ａの最下端より上側にドア３ａと結合される場合、リンク７０が前記最下端の上側に位置するドア３ａの一部（例えば、ドア３ａの側面角部３３）と干渉し得る。よって、このようにリンク７０がドア３ａと干渉することを防止するため、前端部７１に隣接した部分に、ドア３ａの回転軸ｃから遠くなる方向に折り曲げられた第１折曲区間７３が形成される。
【０１９７】
そして、第２回転関節Ｊ２が水平プレート５１１の側辺５１１ａに近づくほど、リンク７０によって水平プレート５１１に作用する力が水平プレート５１１の中心から遠くなる位置に作用し、水平プレート５１１の移動方向（すなわち、前後方向）を横切る方向に発生する偏心が大きくなるため、リンク７０の後端部７２は水平プレート５１１の側辺５１１ａから一定の距離以上に隔たることが良い。このような後端部７２の位置に対応し、第１折曲区間７３と後端部７２の間には第１折曲区間７３と反対方向にふくらんでいる第２折曲区間７４が形成される。
【０１９８】
図１４を参照すると、ベース部５１０は、水平プレート５１１の両側辺からそれぞれ上方に伸びる一対の支持壁５１２、５１３を含むことができる。ベース部５１０は水平プレート５１１と一対の支持壁５１２、５１３によって構成される収納空間を形成する。前記収納空間には一つ以上のコンテナー３２０ａ、３２０ｂが配置されることができる。前記収納空間はフレーム５０に形成されたもので、ドア３ａの開閉動作によってフレーム５０と一緒に移動する。
【０１９９】
ベース部５１０は一対の支持壁５１２、５１３の前端の間が開口し、その開口した部分を通じてコンテナー３２０ａ、３２０ｂが前記収納空間に出入りすることができる。実施例では、前記収納空間内に上下に二つのコンテナー３２０ａ、３２０ｂが収納され、それぞれのコンテナー３２０ａ、３２０ｂはベース部５１０に対して移動可能に備えられることにより、ユーザーが手動でコンテナー３２０ａ、３２０ｂを前記収納空間から引き出すことができる。
【０２００】
図１６を参照すると、それぞれの支持壁５１２、５１３には、コンテナー３２０ａ、３２０ｂの移動を案内するコンテナーガイド５９０が配置されることができる。一つのコンテナーが両支持壁５１２、５１３にそれぞれ配置された二つのコンテナーガイド５９０によって支持されることができる。
【０２０１】
コンテナーガイド５９０は支持壁５１２、５１３に固定される。コンテナーガイド５９０は、前後方向に長く伸びる固定レール５９１と、コンテナー３２０ａ、３２０ｂに配置され、レール５９１に沿って移動可能に備えられるローラー５９２とを含むことができる。実施例によって、ローラー５９２が支持壁５１２、５１３に配置され、ローラー５９２によって支持されるレール５９１がコンテナー３２０ａ、３２０ｂに配置されることができる。
【０２０２】
コンテナー３２０ａ、３２０ｂは前記収納空間内に上下に複数が配置され、コンテナー３２０ａ、３２０ｂが取り付けられる個数によって、適切な数のコンテナーガイド５９０が備えられることができる。
【０２０３】
前記収納空間の上側を限定するカバー棚２７がさらに備えられることができる。カバー棚２７は貯蔵室Ｓ１内に固定配置されたもので、内部キャビネット１１０の後壁１１３（又は貯蔵室Ｓ１の後面）と結合されることができる。カバー棚２７の底面には、前後方向に長く伸び、互いに平行な一対の長溝２７ａが形成され、フレーム５０の移動中に支持壁５１２、５１３の各上端が長溝２７ａに沿って案内できる。
【０２０４】
図１４を参照すると、サイドプレート５２０は、水平プレート５１１と結合される水平部５２１と、水平部５２１から折り曲げられて上方に伸びる垂直部５２２とを含むことができる。垂直部５２２を任意の水平面で切断したとき、その断面は水平プレート５１１の側辺５１１ａに平行に前後方向に長い形態を成す。
【０２０５】
実施例によって、サイドプレート５２０は単一金属板材を加工して形成されることができる。金属板を設計形態のどおりに切断してから折り曲げることによって水平部５２１と垂直部５２２を形成することができる。
【０２０６】
垂直部５２２の前後方向への長さ（ｄ１＋ｄ２）は水平プレート５１１の側辺５１１ａの長さより短く形成されることができる。すなわち、垂直部５２２が必ずしも水平プレート５１１の側辺５１１ａの全区間に対応する長さに形成される必要はなく、水平プレート５１１の側辺５１１ａの一部区間、好ましくは水平プレート５１１の後端（又は後方コーナー付近）に近接した一部区間に対応する長さに形成されることができる。
【０２０７】
しかし、垂直部５２２の前後方向への長さがどの高さでも一定しなければならないものではない。垂直部５２２は、前後方向にｄ１の長さを有し、水平部５２１と連結される下端から上側に伸びる垂直延長区間５２２ａと、垂直延長区間５２２ａから前方又は後方に水平にｄ２だけ突出する水平突出区間５２２ｂとを含んでなることができる。
【０２０８】
水平突出区間５２２ｂは相異なる高さに複数形成されることができ、それぞれは互いに平行である。実施例では、３個の水平突出区間５２２ｂが形成されており、これらの中で上側の二つはそれぞれカンチレバー４０ａと対応する高さに形成されている。水平突出区間５２２ｂが形成された部分では垂直部５２２が前後方向にもっと長い長さを有するため、フレーム５０の移動中に棚３１０から作用する反発力に対してより高い耐久性を確保することができる。
【０２０９】
連動ユニット９０（図２０参照）は冷蔵室ＲＣ内に配置され、棚３１０がサイドプレート５２０に連動するように、垂直部５２２と棚３１０を連結することができる。連動ユニット９０は、連結マウント５４０と、中間連動部材９１０と、スライド連動部材９５０とを含むことができる。
【０２１０】
連結マウント５４０は中間連動部材９１０が結合されるもので、垂直延長区間５２２ａに固定され、垂直延長区間５２２ａから棚３１０に向かって突出することができる。連結マウント５４０は垂直延長区間５２２ａから突出するシェル（ｓｈｅｌｌ）の形態に形成され、垂直延長区間５２２ａとの間に所定の空間を形成することができる。連結マウント５４０には、前記シェルを貫く多数の貫通口５４１ａ、５４１ｂが形成されることができる。これら貫通口５４１ａ、５４１ｂの少なくとも一つは電源供給線１９ａ、１９ｂを後述する中間連動部材９１０に形成されたソケット９１２に案内する用途に使われることができる。
【０２１１】
電源供給線１９ａ、１９ｂが連結マウント５４０に形成された貫通口５４１ｂを通過した後、中間連動部材９１０の一面（図８の（ｂ）参照）に形成された電源線誘導溝９１６に沿ってソケット９１２に案内されることができる。
【０２１２】
図１２を参照すると、内部キャビネット１１０の側壁１１１には、連結マウント５４０が通過する連動ユニット案内スリット１１８が前後方向に長く形成されることができる。連結マウント５４０が連動ユニット案内スリット１１８内に位置し、中間連動部材９１０は冷蔵室ＲＣ内で連結マウント５４０と結合される。
【０２１３】
垂直延長区間５２２ａには一対の貫通口５４１ｂとそれぞれ対応する位置に電源供給線１９ａ、１９ｂが通過する貫通口５２２ｈが形成されることができる。後述する照明３７０（図２４参照）を作動する回路を構成する一対の電源供給線１９ａ、１９ｂがそれぞれ垂直延長区間５２２ａに形成された貫通口５２２ｈと連結マウント５４０に形成された貫通口５４１ｂを通過し、中間連動部材９１０に形成された各ソケット９１２に挿入された接続端子９５２と電気的に連結されることができる。接続端子９５２はスライド連動部材９５０を構成するもので、より詳細に後述する。
【０２１４】
中間連動部材９１０はスライド連動部材９５０と垂直部５２２を連結するもので、カンチレバー４０ａと垂直部５２２の間に配置されることができる。中間連動部材９１０は連結マウント５４０と結合されることができる。連結マウント５４０はフレーム５０に連動させようとする棚３１０の個数に対応して複数が備えられることができ、実施例では二つの棚３１０と対応するように上下方向に二つが備えられている。一つの中間連動部材９１０は複数の連結マウント５４０と結合されることができる。
【０２１５】
図１８を参照すると、中間連動部材９１０は、背面（すなわち、内部キャビネット１１０の側壁１１１と対向する面、図１８の（ｂ）参照）から連結マウント５４０と対応する形態に陷沒した結合溝９１３が形成されることができ、連結マウント５４０が結合溝９１３内に挿入されることができる。結合溝９１３内には連結マウント５４０の貫通口５４１ａと対応する位置に締結口９１１が形成されることができる。
【０２１６】
中間連動部材９１０を垂直延長区間５２２ａと結合させるための締結部材３２が中間連動部材９１０に形成された締結口９１１と連結マウント５４０に形成された貫通口５４１と締結されることができる。
【０２１７】
中間連動部材９１０の背面（冷蔵室ＲＣの側壁と対向する面、図８の（ｂ）参照）から連結マウント５４０と対応する形態に陷沒した結合溝９１３が形成されることができ、連結マウント５４０が結合溝９１３内に挿入されることができる。よって、中間連動部材９１０の前面（図８の（ａ）参照）は結合溝９１３と対応する部分が突出し、このように突出する部分に締結口９１１が形成されることができる。
【０２１８】
スライド連動部材９５０は棚３１０に取り付けられて棚３１０と一緒に移動し、棚３１０と中間連動部材９１０を連結する。好ましくは、スライド連動部材９５０は中間連動部材９１０と分離可能に連結され、ユーザーはスライド連動部材９５０を用いて所望の棚３１０を中間連動部材９１０と連結することができる。
【０２１９】
図２０〜図２２を参照すると、スライド連動部材９５０は棚３１０上に側方向に移動可能に備えられ、その位置によって中間連動部材９１０と連結されるかあるいは中間連結部材９１０から分離されることができる。
【０２２０】
スライド連動部材９５０は、連動部材ハウジング９５１と、連動部材ハウジング９５１から側方向に突出して中間連動部材９１０のソケット９１２にそれぞれ挿入される一対の接続端子９５２とを含むことができる。それぞれの接続端子９５２は各ソケット９１２と対応する位置で突出し、連動部材ハウジング９５１の位置によってソケット９１２内に挿入されるかあるいはソケット９１２から分離される。
【０２２１】
連動部材ハウジング９５１は、ハウジング本体９５１ａと、ハウジング本体９５１ａから側方向に、すなわち中間連動部材９１０に向かって突出する連結突起９５１ｂとを含むことができる。連結突起９５１ｂはハウジング本体９５１ａの下端から上側に隔たった部分から突出することができる。中間連動部材９１０には、連結突起９５１ｂが挿入される挿入溝９１２ａが形成されることができる。棚３１０上のスライド連動部材９５０の位置によって、連結突起９５１ｂが挿入溝９１２ａ内に挿入されるかあるいは挿入溝９１２ａから分離されることができる。
【０２２２】
接続端子９５２は連結突起９５１ｂよりもっと側方向に突出することができる。接続端子９５２は挿入溝９１２ａ内に位置することができ、連結突起９５１ｂを挿入溝９１２ａ内に挿入する動作によって接続端子９５２もソケット９１２内に挿入されることができる。
【０２２３】
スライド連動部材９５０は棚３１０の後端部に取り付けられることができる。棚３１０の後端部にはスライド連動部材９５０を支持するホルダー３３０が形成されることができ、スライド連動部材９５０はホルダー３３０によって支持された状態で側方向に移動可能である。
【０２２４】
より具体的に言うと、ホルダー３３０は棚３１０の後面から後方に突出する“Ｌ”字形のもので、連結突起９５１ｂを下側で支持する下側支持板３３１と、下側支持板３３１から上側に伸びて連結突起９５１ｂの後側に位置する係止突起３３２とを含むことができる。
【０２２５】
棚３１０には、ハウジング本体９５１ａの下端部と接触する面から上側に突出してスライド連動部材９５０の移動方向（すなわち、側方向）に長く伸び、ハウジング本体９５１ａの後側に位置するリブ３１６が形成されることができる。ハウジング本体９５１ａの後方への動きがリブ３１６によって阻止される。
【０２２６】
図２１を参照すると、連動部材ガイド３４０は棚３１０の後面から突出することができる。連動部材ガイド３４０は、棚３１０と結合されるガイド本体３４１と、ガイド本体３４１から突出するガイド突起３４２とを含むことができる。ガイド突起３４２は上下方向に一対が形成されることができる。
【０２２７】
図２２を参照すると、スライド連動部材９５０の前面には、ガイド突起３４２が挿入される突起挿入溝９５１ｃが形成されることができる。突起挿入溝９５１ｃは一対のガイド突起３４２とそれぞれ対応する位置に形成されることができる。
【０２２８】
突起挿入溝９５１ｃ内にガイド突起３４２が挿入された状態でスライド連動部材９５０が側方向に移動することができるように、突起挿入溝９５１ｃはガイド突起３４２の幅（又は外径）よりもっと長く形成されることができる。
【０２２９】
ガイド突起３４２は長手方向に沿って形成された中空３４２ｈを有する管形であってもよく、接続端子９５２と電気的に連結された電線１７（図２４参照）が中空３４２ｈを通過して、棚３１０に取り付けられた電装部品と電気的に連結されることができる。
【０２３０】
前記電装部品として、棚３１０には照明３７０（図２４参照）が備えられることができる。照明３７０は電気によって発光する光源（例えば、ＬＥＤ）を含むことができる。照明３７０は棚３１０の前端部に配置されることができ、前記光源はガイド突起３４２の中空３４２ｈを通過した電線１７と連結されることができる。
【０２３１】
照明３７０は棚３１０の前端部に装着されて下方に光を照射するように構成できる。実施例のように上下に複数の棚３１０が配置される場合、それぞれの棚３１０に照明３７０が備えられることができる。上側に位置する棚３１０に備えられた照明３７０により、その下側に位置する棚３１０が照明されることができる。通常、内装室ＲＣと冷凍室ＦＣ内には、ドア３ａ、３ｂ、３ｃ、３ｄの開放時に点灯し、前記ドアが閉まれば消灯する固定照明（図示せず）が備えられることができるが、これに加え、棚３１０に照明３７０をさらに取り付けることで、引き出された棚３１０上に置かれた貯蔵物がより新鮮に見えるようにすることができる。特に、隔室ＲＣ、ＦＣが大型化するにつれて、前記固定照明によって十分な明るさを確保しにくいため、このように棚３１０にさらに照明３７０を取り付けて十分な光量を確保することができる。
【０２３２】
図２４及び図２５を参照すると、隔室ＲＣ、ＦＣ内の両貯蔵室にはそれぞれ棚３１０が備えられることができる。以下、冷蔵室ＲＣ内の左側冷蔵貯蔵室Ｓ１に配置された第１棚３１０（Ｌ）と右側冷蔵貯蔵室Ｓ２に配置された第２棚３１０（Ｒ）を例とする。
【０２３３】
第１棚３１０（Ｌ）と第２棚３１０（Ｒ）は同じ高さに配置され、それぞれが一対のカンチレバー４０ａによって支持される。第１棚３１０（Ｌ）は、前述したように、ドア３ａに連動するフレーム５０によって自動で引き出されることができる。実施例によって、第２棚３１０（Ｒ）が自動で引き出されることができるように、ドア３ｂに連動するフレーム５０がさらに提供されることができる。ところが、フレーム５０は連動ユニット９０を介して棚３１０（Ｌ）、３１０（Ｒ）を移動させ、連動ユニット９０はフレーム５０の垂直部５２２を棚３１０（Ｌ）、３１０（Ｒ）と連結させるので、連動ユニット９０を介して棚３１０（Ｌ）、３１０（Ｒ）に加わる前方又は後方への押圧力は棚３１０（Ｌ）、３１０（Ｒ）の両者の中で垂直部５２２に近い側に偏って作用する。すなわち、棚３１０（Ｌ）、３１０（Ｒ）の両方に均等に力が作用するものではなく、力が一方に偏るため、棚３１０（Ｌ）、３１０（Ｒ）がフレーム５０によって移動する過程で搖れることができる。特に、一つの棚（例えば、３１０（Ｌ））を支持する二つのカンチレバー４０ａに力が均等に伝達できなくてカンチレバー４０ａが搖れるか、あるいはカンチレバー４０ａに沿って案内される棚３１０（Ｌ）、３１０（Ｒ）が安定に動作することができなくなる問題がある。したがって、このような問題を解決するために、第１棚３１０（Ｌ）を支持する二つのカンチレバー４０ａと第２棚３１０（Ｒ）を支持する二つのカンチレバー４０ａの中で、互いに隣接した一対のカンチレバー４０ａ（Ｌ）、４０ａ（Ｒ）が一定の間隔を維持するように一緒に保持する固定ブラケット８０を提供することによって前述した問題を解決することができる。
【０２３４】
固定ブラケット８０には、第１棚３１０（Ｌ）を支持する第１カンチレバー４０ａ（Ｌ）の下端部が挿入される第１挿入溝８１と、第２棚３１０（Ｒ）を支持する第２カンチレバー４０ａ（Ｒ）の下端部が挿入される第２挿入溝８２が形成されることができる。第１挿入溝８１と第２挿入溝８２は、第１カンチレバー４０ａ（Ｌ）と第２カンチレバー４０ａ（Ｒ）の間の間隔に対応して互いに離隔し、それぞれの挿入溝８１、８２はカンチレバー４０ａ（Ｌ）、４０ａ（Ｒ）の長手方向に沿って伸びることができる。
【０２３５】
図２６は本発明の第８実施例による冷蔵庫１ｈの冷蔵室ＲＣを切開して示した図である。図２７は図２６に示した内部キャビネット１１０の一部を示した図である。図２８は内部キャビネット１１０内に配置されたフレーム５０とドローア３１０、３２０ａ、３２０ｂの組立体を示した図である。図２９は冷蔵室Ｓ１内を側方から見た図である。図３０は冷蔵室ＲＣの左側冷蔵貯蔵室Ｓ１を前方から見た図である。図３１は連動ユニット９０によって棚３１０とサイドプレート５２０の垂直部５２２が連結される構造を示した図である。図３２は図３１からスライド連動部材９５０を除去したものを示した図である。図３３は図３１のIII−IIIに沿って切開した断面図である。図３４は図３０のＢ部を
拡大した断面図である。図３５は図３０のＣ部を拡大した断面図である。以下、図２６〜図３５を参照して説明する。以下、前述した実施例で既に説明した構成に対しては同一の参照符号を付与し、それについての説明は前述したものに従うことにし、省略する。特に、本実施例による冷蔵庫１ｈは、前述した実施例による冷蔵庫１ｇと比較し、内部キャビネット１１０と外部キャビネット１２０の間に垂直部５２２が配置される点に違いがあり、このような違いによる構造的な変更が加わるだけ、その外の構成は実質的に前述した冷蔵庫１ｇと同様である。よって、以下では前述した冷蔵庫１ｇとの違いを主として説明する。
【０２３６】
キャビネット１０は、内部キャビネット１１０と外部キャビネット１２０を含むことができる。外部キャビネット１２０は内部キャビネット１１０の外側に配置され、内部キャビネット１１０との間に所定の空間をなすことができる。前記空間内には断熱材３５（図３３参照）が充填されることができる。特に、内部キャビネット１１０の側壁１１１、１１２と外部キャビネット１２０の間の空間はサイドプレート５２０が取り付けられて移動する空間として活用されることができる。
【０２３７】
図２６〜図２９を参照すると、フレーム５０は、ベース部５１０とサイドプレート５２０を含むことができる。ベース部５１０はコンテナー３２０の下側（すなわち、多数のドローアの中で最下側に位置するコンテナー３２０ｂより下側）に配置される水平プレート５１１を含むことができ、サイドプレート５２０は水平プレート５１１と結合されることができる。サイドプレート５２０は、水平プレート５１１と結合される水平部５２１と、水平部５２１から折り曲げられて上方に伸びる垂直部５２２とを含むことができる。
【０２３８】
内部キャビネット１１０の側壁１１１、１１２には、サイドプレート５２０の水平部５２１が通過するフレーム案内スリット１１７が形成されることができる。フレーム案内スリット１１７は水平部５２１の前後方向への長さより長く形成される。よって、リンク７０によってフレーム５０が移動するとき、水平部５２１がフレーム案内スリット１１７内で前後方向に移動することができる。
【０２３９】
図２７、図２９及び図３１〜図３４を参照すると、内部キャビネット１１０の側壁１１１には連結マウント５４０が通過する連動ユニット案内スリット１１８が前後方向に長く形成されることができる。連結マウント５４０が連動ユニット案内スリット１１８内に位置し、中間連動部材９１０は冷蔵室ＲＣ内で連結マウント５４０と結合される。
【０２４０】
フレーム５０を移動させる力は、第２回転関節Ｊ２（図１７参照）を介してフレーム５０に作用する。そして、第２回転関節Ｊ２は第１回転関節Ｊ１を中心に旋回するので、第２回転関節Ｊ２を介してフレーム５０に作用する合力（ｒｅｓｕｌｔａｎｔ ｆｏｒｃｅ）はその方向がドア３ａの回転過程で変わり、前記合力の前後方向成分がフレーム５０を移動させる力となる。言い換えれば、前記合力は、フレーム５０の移動方向に作用する成分の外にも、フレーム５０の移動方向を横切る方向にも作用し、これはフレーム５０の搖れを引き起こす原因となる。したがって、垂直部５２２に形成された連結マウント５４０を連動ユニット案内スリット１１８内に位置させることで、フレーム５０の移動中に連結マウント５４０が連動ユニット案内スリット１１８によって支持されて移動するようにすることによってフレーム５０の搖れを低減するようにしたものである。
【０２４１】
図３１〜図３３を参照すると、連動ユニット９０は、連結マウント５４０と、中間連動部材９１０と、スライド連動部材９５０とを含むことができる。連結マウント５４０は中間連動部材９１０が結合されるもので、垂直延長区間５２２ａに固定され、垂直延長区間５２２ａから棚３１０に向かって突出することができる。
【０２４２】
垂直部５２２が内部キャビネット１１０の外側に配置されるので、連結マウント５４０は内部キャビネット１１０の外側から連動ユニット案内スリット１１８内に挿入される。
【０２４３】
連結マウント５４０は、内部キャビネット１１０の内側、すなわち貯蔵室Ｓ１内で連結マウント５４０と連結されることができる。垂直延長区間５２２ａに形成された貫通口５２２ｈを一対の電源供給線１９ａ、１９ｂが通過した後、連動ユニット案内スリット１１８内に位置する連結マウント５４０の貫通口５４１ｂを通過し、貯蔵室Ｓ１の内側に配置された中間連動部材９１０まで伸び、さらに中間連動部材９１０の一面に形成された電源線誘導溝９１６に沿ってソケット９１２に案内されることができる（図８の（ｂ）参照）。
【０２４４】
図３１及び図３２を図２０及び図２１と比較して見ると、サイドプレート５２０の垂直部５２２が内部キャビネット１１０の側壁１１１と外部キャビネット１２０の間に位置する関係で、垂直延長区間５２２ａに固定された連結マウント５４０が内部キャビネット１１０の側壁１１１に形成された連動ユニット案内スリット１１８を介してスライド連動部材９５０と連結される点に違いがあるだけで、その外の構成は同様である。
【０２４５】
ただ、このような構造上の違いによって、図３３に示したように、電源供給線１９ａ、１９ｂが内部キャビネット１１０の側壁１１１と外部キャビネット１２０の間で垂直延長区間５２２ａに形成された貫通口５２２ｈを通過した後、連動ユニット案内スリット１１８内に位置する連結マウント５４０に形成された貫通口５４１ｂを通過し、中間連動部材９１０に形成された各ソケット９１２に挿入された接続端子９５２と電気的に連結される。
【０２４６】
一方、図３４を参照すると、垂直部５２２が移動過程で断熱材３５と干渉することを防止するために、内部キャビネット１１０の側壁１１１の外側面には垂直部５２２を取り囲むガイドカバー３６が備えられることができる。ガイドカバー３６は、垂直部５２２がリンク７０によって移動する全区間で断熱材３５と接触しないように、前後方向に十分な長さで伸びることが良い。
【０２４７】
本発明が属する技術分野の通常の知識を有する者は本発明がその技術的思想や必須な特徴を変更しなくても他の具体的な形態に実施することができることが理解可能であろう。したがって、以上で記述した実施例はすべての面で例示的なもので、限定的ではないものに理解しなければならない。本発明の区間は前記詳細な説明よりは後述する特許請求の区間によって決められ、特許請求の区間の意味及び区間そしてその均等概念から導出されるすべての変更乃至変形の形態が本発明の区間に含まれるものに解釈されなければならない。
【図１】
0006599458.tif 000002
【図２】
0006599458.tif 000003
【図３】
0006599458.tif 000004
【図４】
0006599458.tif 000005
【図５】
0006599458.tif 000006
【図６】
0006599458.tif 000007
【図７】
0006599458.tif 000008
【図８】
0006599458.tif 000009
【図９】
0006599458.tif 000010
【図１０】
0006599458.tif 000011
【図１１】
0006599458.tif 000012
【図１２】
0006599458.tif 000013
【図１３】
0006599458.tif 000014
【図１４】
0006599458.tif 000015
【図１５】
0006599458.tif 000016
【図１６】
0006599458.tif 000017
【図１７】
0006599458.tif 000018
【図１８】
0006599458.tif 000019
【図１９】
0006599458.tif 000020
【図２０】
0006599458.tif 000021
【図２１】
0006599458.tif 000022
【図２２】
0006599458.tif 000023
【図２３】
0006599458.tif 000024
【図２４】
0006599458.tif 000025
【図２５】
0006599458.tif 000026
【図２６】
0006599458.tif 000027
【図２７】
0006599458.tif 000028
【図２８】
0006599458.tif 000029
【図２９】
0006599458.tif 000030
【図３０】
0006599458.tif 000031
【図３１】
0006599458.tif 000032
【図３２】
0006599458.tif 000033
【図３３】
0006599458.tif 000034
【図３４】
0006599458.tif 000035
【図３５】
0006599458.tif 000036